(57)【要約】１または２以上の技術および／またはシステムが、固定具テンションを非侵襲的に調節するシステムのために開示される。そのシステムは、スロットを有する長尺状のシャフトを有する。シャフトは、第１の端部と、その反対に配置された第２の端部とを有する。結合したロッドまたは複数のロッドは、各端部を通る。選択的に調節できる固定具は、固定具のヘッドに配置された複数の磁石を有する。磁場を発生する外部駆動デバイスは、外科手術の必要性なく、外部からの固定具ヘッドの磁石によって固定具を回転するように使用される。固定具は、シャフトから内と外へ移動し、テンションを調節するようにロッドと接触する。【選択図】図２０
2017517350.tif 000002
【特許請求の範囲】
【請求項１】
第１の端部および第２の端部を有し、前記第１の端部で第１のロッドと嵌合するように構成されたロッドホルダーと、
前記ロッドホルダーに配置され、前記第１のロッドと動作可能に嵌合するように構成されている磁気駆動部品と、を含み、
前記第１のロッドは、第１の骨と係合するように構成され、
前記磁気駆動部品は、所望の磁場にさらされたとき、前記磁気駆動部品にトルクを付与するように構成されている駆動磁気部品を含むことを特徴とする非侵襲的臨床治療用システム。
【請求項２】
前記磁気駆動部品は、前記磁気駆動部品の内面に動作可能に結合され、前記駆動磁気部品に嵌合するように構成された磁性嵌合部品を含み、
前記磁性嵌合部品と嵌合される前記駆動磁気部品へのトルクの付与は、前記磁気駆動部品に付与されたトルクをもたらす請求項１に記載のシステム。
【請求項３】
前記駆動磁気部品は、前記磁気駆動部品が所望の回転抵抗に直面したとき、前記磁性嵌合部品から外れると、前記所望の磁場にさらされたとき、前記磁性嵌合部品を再嵌合するように構成されている請求項２に記載のシステム。
【請求項４】
前記磁性嵌合部品と前記駆動磁気部品との前記再嵌合は、回転ハンマリング力を前記磁気駆動部品に付与する請求項３に記載のシステム。
【請求項５】
前記磁気駆動部品は、前記磁気駆動部品の外面上に配置された第１のねじ山を含む請求項１に記載のシステム。
【請求項６】
前記第１のねじ山と螺合するように構成された第２のねじ山を含み、
前記第２のねじ山は、前記ロッドホルダーの内面、および、少なくとも前記第１のロッドと動作可能に嵌合された駆動嵌合部品の一方の上に配置されている請求項５に記載のシステム。
【請求項７】
前記第１のロッドは、回転嵌合で前記磁気駆動部品と動作可能に結合するように構成された第１の端部を含む請求項１に記載のシステム。
【請求項８】
前記磁気駆動部品は、貫通開口を含む円筒状の形状を含み、回転嵌合で前記第１のロッドの前記第１の端部と動作可能に連結するように構成されている請求項７に記載のシステム。
【請求項９】
前記磁気駆動部品は、回転嵌合で前記第１のロッドの前記第１の端部に配置されたロッドハブと動作可能に結合するように構成されている請求項７に記載のシステム。
【請求項１０】
前記第１のロッドの前記第１の端部と動作可能に嵌合する駆動嵌合部品を含み、
前記駆動嵌合部品は、前記磁気駆動部品上に配置された第１のねじ山と螺合するように構成された第２のねじ山を含み、トルクが前記磁気駆動部品に付与されたとき、前記ロッドホルダーに対して前記第１のロッドを長手方向に移動させるように構成されている請求項７に記載のシステム。
【請求項１１】
前記ロッドホルダーは、前記第１の端部を含む第１のスリーブと、前記第２の端部を含む第２のスリーブとを含み、
前記第１のロッドは、前記第１のスリーブに動作可能に結合され、
第２のロッドは、前記第２のスリーブと動作可能に結合され、
前記第１のスリーブは、第２のスリーブと摺動可能に嵌合されている請求項１に記載のシステム。
【請求項１２】
前記磁気駆動部品は、
前記外面に配置された第１のねじ山を含む第１の駆動端部と、
前記外面に配置された第３のねじ山を含む第２の駆動端部と、を含み、
前記第１のネジ山は、前記第１のスリーブに動作可能に嵌合された第１の駆動嵌合部品上に配置された第２のねじ山と螺合するように構成され、
前記第３のネジ山は、前記第２のスリーブに動作可能に嵌合された第２の駆動嵌合部品上に配置された第４のねじ山と螺合するように構成されている請求項１１に記載のシステム。
【請求項１３】
前記磁気駆動部品の回転は、第１の直線方向への前記第１のスリーブの長手方向の移動と、第２の直線方向への前記第２のスリーブの長手方向の移動とをもたらす請求項１２に記載のシステム。
【請求項１４】
前記磁気駆動部品は、前記ロッドホルダーの第１の部分に配置され、前記ロッドホルダーの第２の部分と螺合する移動ロッドと固定的に嵌合されている請求項１に記載のシステム。
【請求項１５】
１または複数の部材と選択的に嵌合するように構成された部材ホルダーと、
前記部材ホルダーと動作可能に連結され、前記部材ホルダーの中心軸に沿って長手方向に移動するように構成され、第１の骨と係合するように構成された第１の部材と、
前記部材ホルダーの一部に配置された磁気駆動部品と、を含み、
前記磁気駆動部品は、所望の磁場にさらされたとき、前記第１の部材と嵌合することによって、回転移動を直線的な移動に変換するように構成され、それにより、前記ロッドホルダーの前記中心軸に沿って前記長手方向に移動する前記第１の部材の少なくとも一部分をもたらすことを特徴とする非侵襲的な医療処置用のデバイス。
【請求項１６】
前記磁気駆動部品は、第２の延長部に対して反対の嵌合部品に配置された第１の延長部を含み、
前記第２の延長部は、駆動磁石と固定的に嵌合された磁性環状部品上に配置され、
前記駆動磁石は、前記所望の磁場にさらされたとき、回転移動するように構成されている請求項１５に記載のデバイス。
【請求項１７】
前記駆動磁石の回転によって前記磁性環状部品に付与されるトルクは、
前記第２の延長部が前記第１の延長部と嵌合したとき、前記磁気駆動部品へのトルクの付与と、
前記磁気駆動部品が回転抵抗に直面したとき、前記第１の延長部から外れると、回転ハンマリング力を有する前記第１の延長部と再嵌合する前記第２の延長部と、の１または複数をもたらす請求項１６に記載のデバイス。
【請求項１８】
前記磁気駆動部品は、
前記磁気駆動部品の前記外面上に配置された第１のねじ山と、
前記第１のねじ山と螺合するように構成された第２のねじ山と、の１または複数を含み、
前記第２のネジ山は、
前記部材ホルダーの内面と、
第１の部材の少なくとも一部と動作可能に嵌合する駆動嵌合部品と、の一方の上に配置されている請求項１５に記載のデバイス。
【請求項１９】
前記第１の部材は、回転嵌合で前記磁気駆動部品と動作可能に結合するように構成された第１の端部を含む請求項１５に記載のデバイス。
【請求項２０】
前記磁気駆動部品は、貫通開口を含む円筒状の形状を含み、回転嵌合で前記第１の部材の前記第１の端部と動作可能に連結するように構成されている請求項１９に記載のデバイス。
【請求項２１】
前記磁気駆動部品は、回転嵌合で前記第１の部材の前記第１の端部に配置されたロッドハブと動作可能に結合するように構成されている請求項１９に記載のデバイス。
【請求項２２】
前記第１の部材の前記第１の端部と動作可能に嵌合する駆動嵌合部品を含み、
前記駆動嵌合部品は、前記磁気駆動部品上に配置された第１のねじ山と螺合するように構成された第２のねじ山を含み、トルクが前記磁気駆動部品に付与されたとき、前記部材ホルダーに対して前記第１の部材を長手方向に移動させるように構成されている請求項１９に記載のデバイス。
【請求項２３】
前記部材ホルダーは、前記第１の部材の少なくとも一部と動作可能に結合された第１のスリーブと、第２の部材の少なくとも一部と動作可能に結合された第２のスリーブとを含み、
前記第１のスリーブは、第２のスリーブと摺動可能に嵌合されている請求項１５に記載のデバイス。
【請求項２４】
前記磁気駆動部品は、
前記外面に配置された第１のねじ山を含む第１の端部と、
前記外面に配置された第３のねじ山を含む第２の端部と、を含み、
前記第１のネジ山は、前記第１のスリーブに動作可能に嵌合された第１の駆動嵌合部品上に配置された第２のねじ山と螺合するように構成され、
前記第３のネジ山は、前記第２のスリーブに動作可能に嵌合された第２の駆動嵌合部品上に配置された第４のねじ山と螺合するように構成されている請求項２３に記載のシステム。
【請求項２５】
前記磁気駆動部品の回転は、第１の直線方向への前記第１のスリーブの長手方向の移動と、第２の直線方向への前記第２のスリーブの長手方向の移動とをもたらす請求項２４に記載のシステム。
【請求項２６】
前記磁気駆動部品は、前記部材ホルダーの第１の部分に配置され、前記部材ホルダーの第２の部分と螺合する移動ロッドと固定的に嵌合されている請求項１５に記載のシステム。
【請求項２７】
第１の部材と選択的に嵌合するように構成された部材ホルダーの第１の端部と前記第１の部材の少なくとも一部を嵌合させる工程と、
磁気駆動部品の回転移動が付与されたトルクに起因するとき、前記第１の部材と動作可能に嵌合するように構成された配置で、前記部材ホルダーの一部に前記磁気駆動部品を配置する工程とを含み、
前記磁気駆動部品は、所望の磁場にさらされたとき、前記磁気駆動部品に前記トルクを付与するように構成された駆動磁気部品を含むことを特徴とする非侵襲的処置デバイスを作製する方法。
【請求項２８】
前記所望の磁場を生成するために磁場発生部品を使用する工程を含み、
前記磁場発生部品は、
１または複数の作動磁石と、
前記１または複数の作動磁石と動作可能に結合された軸と、の１または複数を含み、
前記軸は、前記１または複数の作動磁石を、前記所望の磁場を発生させるために磁気回転軸の周りを回転させるように構成されている請求項２７に記載の方法。
【請求項２９】
骨部分と係合するように構成された骨係合部材と、
前記骨係合部材に螺合するねじ要素と、
駆動磁気部品と、前記ねじ要素と動作可能に結合された磁性嵌合部品とを含む磁気駆動アッセンブリと、
作動磁石を含み、所望の磁場を生成するように構成された磁場発生部品と、を含み、
前記駆動磁気部品は、前記所望の磁場にさらされたとき、前記磁性嵌合部品にトルクを付与するために前記磁性嵌合部品と嵌合するように構成され、
前記駆動磁気部品および前記磁性嵌合部品は、前記所望の磁場にさらされ、所望の抵抗に直面したとき、前記駆動磁気部品が前記磁性嵌合部品から外れ、再嵌合することができるよう構成され、
前記磁性嵌合部品と前記駆動磁気部品との再嵌合は、前記磁性嵌合部品にハンマリング力を付与し、
前記磁場発生部品は、前記ねじ要素に付与される力と、前記ねじ要素と前記骨係合部材との間の相対運動とにしたがって、磁場の生成を制御することを特徴とする非侵襲的臨床治療用システム。
【請求項３０】
前記磁場発生部品は、前記ねじ要素と前記骨係合部材との間の相対運動の割合に従って、前記所望の磁場を制御するように構成されている請求項２９に記載のシステム。
【請求項３１】
前記ねじ要素に加えられる力と、
前記ねじ要素と前記骨係合部材との間の相対運動と、の少なくとも一方に機能的に関連した値を測定するように構成された測定デバイスを含み、
前記磁場発生部品は、前記測定された値に基づいて、少なくとも一部で、前記所望の磁場を制御するように構成されている請求項２９に記載のシステム。
【請求項３２】
第１の骨部分に係合するように構成された第１の部材と、
第２の骨部分に係合するように構成された第２の部材と、
前記第１の部材と前記第２の部材との間に動作可能に配置されたねじ要素と、
駆動磁気部品と、前記ねじ要素と動作可能に結合された磁性嵌合部品とを含む磁気駆動アッセンブリと、
作動磁石を含み、所望の磁場を生成するように構成された磁場発生部品と、を含み、
前記ねじ要素は、前記ねじ要素の回転が前記ねじ要素と前記第１の部材との間の相対運動をもたらすように、前記第１の部材に螺合し、
前記ねじ要素は、前記ねじ要素と前記第１の部材との間の相対運動が、前記第１の部材と前記第２の部材との間の相対運動をもたらすように、前記第２の部材と動作可能に結合され、
前記駆動磁気部品は、前記所望の磁場にさらされたとき、前記磁性嵌合部品にトルクを付与するために前記磁性嵌合部品と嵌合するように構成され、
前記駆動磁気部品および前記磁性嵌合部品は、前記所望の磁場にさらされ、前記ねじ要素を回転させる所望の抵抗に直面したとき、前記駆動磁気部品が前記磁性嵌合部品から外れ、再嵌合することができるよう構成され、
前記磁性嵌合部品と前記駆動磁気部品との再嵌合は、前記磁性嵌合部品にハンマリング力を付与し、
前記磁場発生部品は、前記ねじ要素に付与される力と、前記第１の部材と前記第２の部材との間の相対運動とに応じて、磁場の生成を制御することを特徴とする非侵襲的臨床治療用システム。
【請求項３３】
前記磁場発生部品は、前記第１の部材と前記第２の部材との間の相対運動の割合に従って、前記所望の磁場を制御するように構成されている請求項３２に記載のシステム。
【請求項３４】
前記ねじ要素に加えられる力と、前記ねじ要素および前記第１の部材の間の相対運動との少なくとも一方に機能的に関連した値を測定するように構成された測定デバイスを含み、
前記磁場発生部品は、前記測定された値に基づいて、少なくとも一部で、前記所望の磁場を制御するように構成されている請求項３２に記載のシステム。
【発明の詳細な説明】
【技術分野】
【０００１】
本願は、２０１４年６月１２日に一部継続出願されたアメリカ特許出願第１４／３０３，１６９号の利益を要求する。そのアメリカ特許出願は、２０１２年１２月１２日に出願されたアメリカ特許出願第１３／７１２，３８７号の利益を要求する。さらにこのアメリカ出願は、２０１１年１２月１２日に出願されたアメリカ仮出願第６１／５６９，４５３号の利益と、２０１２年１月１１日に出願されたアメリカ仮出願第６１／５８５，４５０号の利益とを要求する。この特許出願のファミリーによって開示される全ての内容は、この出願に挿入される。
【背景技術】
【０００２】
早期発症側弯症（early-onset scoliosis (EOS)）は、子供の骨格が成熟する前に子供に影響を及ぼす。治療しないまま放置すると、年少期に脊髄奇形（spinal deformity）の被害を引き起こす。それは、肺機能のような子供の健康面に次々に影響を及ぼす。例えば、脊椎（spine）が成長中に変形し続けると、肺のための領域は子供の呼吸器官の要求に対応することができなくなる。したがって、この病気の早期治療が子供の将来の健康と幸せに不可欠である。一般的に、グローイングロッド（growing rods）は、例えば、脊柱側弯症の治療を支援するために、脊椎の成長を促すテンションをかけるためおよび変形を矯正するために、患者の脊椎と外科的に嵌合し、定期的に調節される（例えば、伸長される）。しかしながら、定期的な調節（例えば、一般的には、６か月毎）は、埋め込まれたグロースロッド（implanted growth rods）を操作するために手術を必要とする。
【発明の概要】
【発明が解決しようとする課題】
【０００３】
ここでは、簡単な形式で概念の選択を提供し、以下の詳細な説明で発明を説明する。ここに記載される事項は、クレームされた発明の主要な要因や本質的特徴を特定する意図ではないし、クレームされた発明の範囲を限定する意図でもない。
【課題を解決するための手段】
【０００４】
ここに記載されるように、非侵襲的脊椎テンションデバイス（noninvasive spinal tensioning device）は、脊柱側弯症の治療に利用される。例えば、長尺状のロッドホルダーは、第１の端部と、それと反対側に配置される第２の端部とを有する。結合されたロッドまたは複数のロッドは、ホルダーの各端部を通過する。一つの実施例において、位置決めねじ（set screw）のような１または２以上の、磁気的に、選択的に、調節可能な固定具（fastener）がロッドホルダーのロッドを固定するために使用される。別の実施例において、磁気的に、選択的に調整可能なロッドディストラクター（distractor）は、１つ以上の骨と係合されたテンションロッドの伸延および／または後退を調整するために使用される。一つの実施例において、外部デバイスは、システムの磁気的に、選択的に調整可能な部分を回転させることができる所望の磁場（magnetic field）を発生する（例えば、緩みおよび／または締めつけ、または延伸および／または後退をもたらす）。それによって、外科手術の必要性なしに、ロッドの調節を可能にしている。
【０００５】
一つの実施例において、非侵襲的テンションデバイスは、第１の端部と第２の端部とを含むロッドホルダーを有する。ロッドホルダーは、少なくとも第１のロッドを保持するように構成されている。非侵襲的テンションデバイスは、ロッドホルダーの第１の端部に配置された第１の固定具をさらに含む。第１の固定具は、第１の磁石と操作可能に連結されている。第１の磁石は、所望の磁場にさらされたとき、第１の固定具にトルク（torque）を付与するように構成されている。加えて、第１の固定具は、前記ロッドホルダーに対して第１のロッドを固定するように構成されている。
【０００６】
一つの実施例において、非侵襲的テンションデバイスは、第１の端部と第２の端部とを含むロッドホルダーを有する。ロッドホルダーは、少なくとも第１のロッドを保持するように構成されている。非侵襲的テンションデバイスは、磁気的に作動するモーターをさらに含む。そのモーターは、外部の磁場にさらされたとき、所望の状態で回転するように構成されている。モーターの回転は、第１のロッドの伸延および／または後退をもたらす。
【０００７】
上記および関連する目的を達成するために、以下の説明と添付の図面が説明に役に立つ特徴と実施例を説明する。これらは、１または２以上の目的が使用される種々の方法のうちのいくつかを示している。この開示の他の目的、利点、新規な特徴は、添付の図面とともに検討されれば、以下の詳細な説明から明らかであるだろう。
【図面の簡単な説明】
【０００８】
本発明は、ある部品および部品の配置において物理的な形をとる。好ましい実施形態をこの詳細な説明と添付した図面を参照して説明する。添付図面は以下の説明を形成する。
【０００９】
【図１】図１は、グローイングロッド装置の一例を示す斜視図である。
【００１０】
【図２】図２は、グローイングロッド装置の別の例を示す斜視図である。
【００１１】
【図３】図３は、ここに記載される１または２以上のシステムに従ったグローイングロッドの一例の１または２以上の部分の斜視図を示す部品略図である。
【００１２】
【図４】図４は、ここに記載される１または２以上のシステムの１または２以上の部分の実施例の斜視図を示す部品略図である。
【００１３】
【図５】図５は、ここに記載される１または２以上のシステムの１または２以上の部分の実施例の斜視図を示す部品略図である。
【００１４】
【図６】図６は、ここに記載される１または２以上のシステムの１または２以上の部分の実施例の分解図を示す部品略図である。
【００１５】
【図７】図７は、ここに記載される１または２以上のシステムの１または２以上の部分の実施例の分解図を示す部品略図である。
【００１６】
【図８Ａ】図８Ａは、ここに記載される１または２以上のシステムの１または２以上の部分の実施例の種々の図を示す部品略図である。
【図８Ｂ】図８Ｂは、ここに記載される１または２以上のシステムの１または２以上の部分の実施例の種々の図を示す部品略図である。
【図８Ｃ】図８Ｃは、ここに記載される１または２以上のシステムの１または２以上の部分の実施例の種々の図を示す部品略図である。
【図８Ｄ】図８Ｄは、ここに記載される１または２以上のシステムの１または２以上の部分の実施例の種々の図を示す部品略図である。
【００１７】
【図９Ａ】図９Ａは、ここに記載される１または２以上のシステムの１または２以上の部分の実施例の種々の図を示す部品略図である。
【図９Ｂ】図９Ｂは、ここに記載される１または２以上のシステムの１または２以上の部分の実施例の種々の図を示す部品略図である。
【図９Ｃ】図９Ｃは、ここに記載される１または２以上のシステムの１または２以上の部分の実施例の種々の図を示す部品略図である。
【図９Ｄ】図９Ｄは、ここに記載される１または２以上のシステムの１または２以上の部分の実施例の種々の図を示す部品略図である。
【００１８】
【図１０Ａ】図１０Ａは、ここに記載される１または２以上のシステムの１または２以上の部分の実施例の種々の図を示す部品略図である。
【図１０Ｂ】図１０Ｂは、ここに記載される１または２以上のシステムの１または２以上の部分の実施例の種々の図を示す部品略図である。
【図１０Ｃ】図１０Ｃは、ここに記載される１または２以上のシステムの１または２以上の部分の実施例の種々の図を示す部品略図である。
【図１０Ｄ】図１０Ｄは、ここに記載される１または２以上のシステムの１または２以上の部分の実施例の種々の図を示す部品略図である。
【００１９】
【図１１Ａ】図１１Ａは、ここに記載される１または２以上のシステムの１または２以上の部分の実施例の種々の図を示す部品略図である。
【図１１Ｂ】図１１Ｂは、ここに記載される１または２以上のシステムの１または２以上の部分の実施例の種々の図を示す部品略図である。
【００２０】
【図１２Ａ】図１２Ａは、ここに記載される１または２以上のシステムの１または２以上の部分の実施例の種々の図を示す部品略図である。
【図１２Ｂ】図１２Ｂは、ここに記載される１または２以上のシステムの１または２以上の部分の実施例の種々の図を示す部品略図である。
【図１２Ｃ】図１２Ｃは、ここに記載される１または２以上のシステムの１または２以上の部分の実施例の種々の図を示す部品略図である。
【００２１】
【図１３Ａ】図１３Ａは、ここに記載される１または２以上のシステムの１または２以上の部分の実施例の種々の図を示す部品略図である。
【図１３Ｂ】図１３Ｂは、ここに記載される１または２以上のシステムの１または２以上の部分の実施例の種々の図を示す部品略図である。
【図１３Ｃ】図１３Ｃは、ここに記載される１または２以上のシステムの１または２以上の部分の実施例の種々の図を示す部品略図である。
【００２２】
【図１４】図１４は、ここに記載される１または２以上のシステムの１または２以上の部分の実施例の斜視図を示す部品略図である。
【００２３】
【図１５】図１５は、ここに記載される１または２以上のシステムの１または２以上の部分の実施例の斜視図を示す部品略図である。
【００２４】
【図１６Ａ】図１６Ａは、ここに記載される１または２以上のシステムの１または２以上の部分の実施例の種々の図を示す部品略図である。
【図１６Ｂ】図１６Ｂは、ここに記載される１または２以上のシステムの１または２以上の部分の実施例の種々の図を示す部品略図である。
【図１６Ｃ】図１６Ｃは、ここに記載される１または２以上のシステムの１または２以上の部分の実施例の種々の図を示す部品略図である。
【００２５】
【図１７】図１７は、ここに記載される１または２以上のシステムの１または２以上の部分の実施例を示す部品略図である。
【００２６】
【図１８】図１８は、図１７の断面図を示す図である。
【００２７】
【図１９】図１９は、図１８の部分の拡大図である。
【００２８】
【図２０】図２０は、ここに記載される１または２以上のシステムの１または２以上の部分の実施例を示す図である。
【００２９】
【図２１】図２１は、ここに記載される１または２以上のシステムの１または２以上の部分の実施例を示す図である。
【００３０】
【図２２Ａ】図２２Ａは、ここに記載される１または２以上のシステムの１または２以上の部分の実施例の種々の図を示す部品略図である。
【図２２Ｂ】図２２Ｂは、ここに記載される１または２以上のシステムの１または２以上の部分の実施例の種々の図を示す部品略図である。
【図２２Ｃ】図２２Ｃは、ここに記載される１または２以上のシステムの１または２以上の部分の実施例の種々の図を示す部品略図である。
【００３１】
【図２３】図２３は、ここに記載される１または２以上のシステムの１または２以上の部分の実施例を示す部品略図である。
【００３２】
【図２４Ａ】図２４Ａは、ここに記載される１または２以上のシステムの１または２以上の部分の実施例の種々の図を示す部品略図である。
【図２４Ｂ】図２４Ｂは、ここに記載される１または２以上のシステムの１または２以上の部分の実施例の種々の図を示す部品略図である。
【００３３】
【図２５Ａ】図２５Ａは、ここに記載される１または２以上のシステムの１または２以上の部分の実施例の種々の図を示す部品略図である。
【図２５Ｂ】図２５Ｂは、ここに記載される１または２以上のシステムの１または２以上の部分の実施例の種々の図を示す部品略図である。
【００３４】
【図２６】図２６は、ここに記載される１または２以上のシステムの１または２以上の部分の実施例を示す部品略図である。
【００３５】
【図２７】図２７は、ここに記載される１または２以上のシステムの１または２以上の部分の実施例を示す部品略図である。
【００３６】
【図２８】図２８は、ここに記載される１または２以上のシステムの１または２以上の部分の実施例を示す部品略図である。
【００３７】
【図２９Ａ】図２９Ａは、ここに記載される１または２以上のシステムの１または２以上の部分の実施例の種々の図を示す部品略図である。
【図２９Ｂ】図２９Ｂは、ここに記載される１または２以上のシステムの１または２以上の部分の実施例の種々の図を示す部品略図である。
【００３８】
【図３０】図３０は、ここに記載される１または２以上のシステムの１または２以上の部分の実施例を示す部品略図である。
【００３９】
【図３１Ａ】図３１Ａは、ここに記載される１または２以上のシステムの１または２以上の部分の実施例の種々の図を示す部品略図である。
【図３１Ｂ】図３１Ｂは、ここに記載される１または２以上のシステムの１または２以上の部分の実施例の種々の図を示す部品略図である。
【発明を実施するための形態】
【００４０】
本発明を図面を参照して説明する。同じ部品には同種の符号が使用される。以下の説明において、説明の目的のために、多くの特定の詳細が発明の理解を助けるために記載される。しかしながら、本発明はこれら特定の詳細なしに実施されてもよいことは明らかである。他の例では、構造および装置は、本発明の説明を容易にするためにブロック図形式で示されてもよい。
【００４１】
一般的に、脊柱側弯症と他の脊椎変形の初期の処置は、連続キャスティング（serial casting）に続くブレーシング（bracing）を使用することによって行われる。そのような治療が実行可能ではないかまたは成功法ではない場合、しばしば外科的処置が必要とされる。脊椎固定術は、大人と骨成熟した子供に対し、進行した脊柱側弯症のための外科処置の一般的な処置である。脊椎固定術は、たいてい、脊椎の患部を矯正するために、ロッド、ホック、椎弓根螺子（pedicle screws）などの設置および／または骨移植を伴っている。しかしながら、この種の外科手術は、処置された脊椎の部分を固定することができる。子供が骨成熟していない場合、脊椎固定術処置は、子供の潜在的成長を制限する。それは、胸部不全症候群（thoracic insufficiency syndrome）のような、他の潜在する健康問題につながる。そのような胸部不全症群においては、胸部の成長が遅いまたは成長が停止するため、健康な大人のような十分なボリュームの呼吸機能を提供しない。
【００４２】
現在のいくつかの選択肢は、脊柱側弯矯正と将来の成長の両方を考慮に入れている。発育保存治療（growth-sparing treatments）は、デュアルグローイングロッド（dual growing rods (DGR)）および／または垂直可伸型チタン人工肋骨（vertical expandable prosthetic titanium rib (VEPTR)）を使用する。その発育保存治療は、脊椎側弯症の病気の治療のために提供でき、連続する胸部成長を可能にさせている。結果として、ロッドは、骨（背骨、肋骨および／または骨盤を含む）に固定され、選択的に伸長するように構成されている。しかしながら、これらの処置を経験する患者は、一般的に、最初のインプラントに繰り返しの外科的治療介入、それに続くインプラントの伸長を必要とする。それは、しばしば、４か月毎に必要とされる。
【００４３】
図１は、グローイングロッド装置１００の一例の斜視図を示す。一例として、人間の脊椎側弯症を治療するために使用されるいくつかの公知のグローイングロッドデバイスは、ロッドホルダー１０２と、１または２以上のグロースロッド１０４、１０６と、１または２以上の対の位置決めねじ（set screw）１０８、１１０とを含む。その位置決めねじ１０８、１１０は、ロッドホルダー１０２にロッド１０４、１０６を固定するために使用される。一般的に、位置決めねじ１０８、１１０は、ツール嵌合用開口１１２を含む。その開口１１２は、ねじを緩めるおよび／または締め付けるために使用されるツールを受け取るように設計されている。例えば、六角ツール（例えば、六角レンチ）がツール嵌合用開口１１２に挿入され、ねじ１０８、１１０を緩める及び／または締め付けるために回転される（例えば、時計回り、半時計回り）。
【００４４】
また、例えば、グローイングロッド装置１００の例のツール嵌合用開口１１２にアクセスするために、グローイングロッド装置１００が患者に取り付けられた時、患者は侵襲的な外科手術（例えば、切開）を受ける必要がある。一つの実施例において、グローイングロッド装置１００の調節が若者（骨未成熟な患者）のために行われた場合、脊椎開口手術は、骨が成熟する歳まで、６か月毎に必要とされる。これらの多数回の外科手術が外科手術独特のかなりの病的状態（morbidity）をもたらすだけでなく、厳しい心理社会的なハードルもまた、特に、骨未成熟者と彼らの世話をする人に課せられる。この種の治療に対して他の合併症が生じるが、病的状態は、一般的に繰り返される外科的治療介入の必要性から生じている。感染症と皮膚関連の合併症は、追加の外科手術、長期間の抗生物質治療、および患者と介護人との両方に習慣的な入院から生じる心理社会的ストレスにつながる。
【００４５】
図２は、グローイングロッド装置の一つの実装例２００の斜視図である。この実装例２００において、グローイングロッドシステム２０８の第１のタイプは、第１の端部２０６で患者の脊椎２０２と（例えば、ねじで）、第２の端部２１０で患者の胸郭２０４と嵌合している。一例として、脊椎２０２と胸郭２０４にデバイス２０８を固定することによって、患者の脊椎２０２に所望の姿勢が得られる。また、所望の姿勢は、例えば、所望の最終姿勢に脊椎を調節するために、患者を外科的に切開し、デバイス２０８をマニュアル操作することによって、定期的に調節される。別の例として、グローイングロッドシステム２１２の第２のタイプは、患者の胸郭２０４と単に嵌合されている。しかしながら、侵襲的な外科手術によるマニュアル操作はまだ必要とされる。
【００４６】
したがって、ここに記載されるように、非侵襲的システムおよび／または非侵襲的デバイスが考案される。それは、脊椎側弯症の治療を提供し、連続する胸部成長を可能にさせ、繰り返しの外科的治療介入を軽減する。一例として、システムは、１または２以上の固定具によってロッドホルダーに固定される１または２以上のロッドを利用する。各固定具は、（例えば、患者の外科的介入（surgical intrusion）なしに）外部デバイスによって締め付けられおよび／または緩められる。すなわち、例えば、固定具は、外部デバイスによって回転される磁性部品と連結される。この例において、磁性部品が回転すると、それは固定具にトルク（torque）を付与する。それによって、固定具を締め付けるおよび／または緩める。また、固定具は、ロッドホルダーに設置される。その結果、固定具の締め付けは、ロッドホルダーに対して対応するロッドを固定することができる。一つの実装例において、そのような非侵襲的なデバイスのための調節手順は、例えば、手術室の代わりに診察室で行われる。
【００４７】
非侵襲的なシステムおよび／またはデバイスを限定する目的ではなく、それらの実装例を示す目的で図面を参照して、図３〜６を参照して、埋め込まれたグローイングロッド処置のような非侵襲的テンションシステムおよび／またはデバイス３００を説明する。非侵襲的テンションシステム３００は、第１の端部３１０と第２の端部３１２とを含む。ロッドホルダー３０８は、第１のロッド３０４ａと選択的に嵌合するように構成されている。また、非侵襲的テンションシステム３００は、第１の端部３１０に配置された第１の固定具３０２ａを含む。第１の固定具３０２ａは、ロッドホルダー３０８に対して、第１のロッド３０４ａを固定するように構成されている。加えて、非侵襲的テンションシステム３００は、第１の固定具３０２ａと動作可能に連結される第１の磁性部品６０２ａを含む。第１の磁性部品６０２ａは、それが所望の磁場にさらされたとき、第１の固定具３０２ａにトルクを付与するように構成されている。
【００４８】
一つの実施例において、非侵襲的テンションシステム３００は、ロッドホルダー３０８の第２の端部３１２に配置された第２の固定具３０２ｂを含む。第２の固定具３０２ｂは、ロッドホルダー３０８に対して第２のロッド３０４ｂを固定するように構成されている。一つの実施例において、第２の固定具３０２ｂは、ロッドホルダー３０８に第１のロッド３０４ａを固定するように構成されていてもよい。例えば、第１のロッド３０４ａは、（例えば、ロッドホルダー３０８の全体の長さにわたって）ロッドホルダーの第１の端部３１０から第２の端部３１２に延在している。また、非侵襲的テンションシステム３００は、第２の固定具３０２ｂと動作可能に連結される第２の磁性部品６０２ｂを含む。第２の磁性部品６０２ｂは、それが、所望の磁場にさらされているとき、第２の固定具３０２ｂにトルクを付与するように構成される。
【００４９】
一例として、ロッドホルダーにおけるロッドを保持する固定具を緩めるおよび／または締め付けるための磁性部品６０２を使用することは、テンションシステム３００（例えば、グローイングロッド装置）が固定具３０２のヘッド３０６に直接の外科的処置を加える必要性なく、再び張力をかけることができる。一つの実施例において、固定具３０２は、磁性部品６０２に所望の磁場を付与することによって、回転される（例えば、緩められまたは締め付けられる）。磁場は、ここで記載されるように、いくつかの部品の力を誘発（induce）するということを理解すべきである。ここで使用されるように、磁場によって誘発される力は、磁力として称される。また、一つの実施例において、所望の磁場は、所望の方位に所望の量の磁力を提供する磁場を含む。例えば、磁場は、固定具を所望の方向（例えば、時計まわり、反時計まわり）に回転させる。
【００５０】
引き続き図３〜６と、さらに図７〜１３とを参照して、例となるシステム／デバイス３００のロッドホルダー３０８は、ロッド受け入れシャフト５０６、スリーブ、チューブ、または全体的に中空または部分的に中空のいずれかの開口部を含んでいる。一つの実施例において、ロッドホルダー３０８（例えば、図８Ｂと８Ｃに記載されるように）は、第１の端部３１０で開口を有する第１のロッド受け入れシャフト５０６ａを含む。第１のロッド受け入れシャフト部５０６ａは、第１のロッド３０４ａを選択的に嵌合するように構成されている。また、ロッドホルダー３０８は、第２の端部３１２で開口を有する第２のロッド受け入れシャフト部５０６ｂを含む。第２のロッド受け入れシャフト部５０６ｂは、第２のロッド３０４ｂを選択的に嵌合するように構成されている。
【００５１】
一つの実施例において、第１のロッド受け入れシャフト部５０６ａと、第２のロッド受け入れシャフト部５０６ｂとは、同じシャフト軸に沿って配置され、例えば、その結果、第１のロッド受け入れシャフト部５０６ａと、第２のロッド受け入れシャフト５０６ｂは、ロッドホルダー３０８を通って、連続的ロッド受け入れシャフト５０６を形成する。長尺スロット３１４は、第１の端部３１０と第２の端部３１２との間に位置されている。一つの実施例において、第１のロッド受け入れシャフト部５０６ａと、第２のロッド受け入れシャフト部５０６ｂとは、長尺スロット３１４を横断し、例えば、その結果、第１のロッド３０４ａおよび／または第２のロッド３０４ｂは、（例えば、シャフトに嵌合された各ロッドの位置を可視的に決定するために）長尺スロット３１４の開口を介して視認できる。
【００５２】
一つの実施例において、第１のロッド受け入れシャフト部５０６ａは、第１のシャフト軸に沿って存在し、第２のロッド受け入れシャフト部５０６ｂは、第２のシャフト軸に沿って存在していてもよい。一例として、第１および第２のシャフト軸は、ロッドホルダー３０８に対して互いにずれていてもよい（offset）。すなわち、例えば、第１のロッド受け入れシャフト部５０６ａは、第１の側でロッドホルダー３０８の長さに沿って延在している。一方、第２のロッド受け入れシャフト部５０６ｂは、第２の側でロッドホルダー３０８の長さに沿って延在している。この例において、第１のロッド３０４ａは、第１のロッド受け入れシャフト部５０６ａと嵌合することができ、第２のロッド３０４ｂは、第２のロッド受け入れシャフト部５０６ｂと嵌合することができる。そして、２つのロッドは、ロッドホルダー内で出会うことなく、ロッドホルダー３０８の長さにわたって十分に延在している。
【００５３】
一つの実施例において、多数の固定具は、ロッドホルダー３０８の各端部３１０、３１２に配置されている（例えば、図１のように）。すなわち、例えば、１または２以上の追加の固定具が第１の固定具３０２ａとともに第１の端部３１０に配置されている。１または２以上の追加の固定具は、ロッドホルダー３０８に対して第１のロッド３０４ａを固定するように構成されている。また、２またはそれ以上の第２の固定具（例えば、第２の固定具３０２ｂと１または２以上の追加の固定具）は、第２の端部３１２に配置され、ロッドホルダー３０８に対して第２のロッド３０４ｂを固定するように構成されている。
【００５４】
図３〜１３に示されるように、各固定具３０２は、スクリューヘッド３０６と、スクリューシャンク（ねじ胴部）４０２と、ねじ部４０４とを含む。一つの実施例において、図４に示されるように、ねじ部４０４は、例えば、ロッドホルダー３０８（第１の端部３１０および／または第２の端部３１２）に配置されたねじ受け部（threaded receiving portion）４０６によって受け取られ、嵌合されるように構成されている。一つの実施例において、磁性部品６０２は、固定具３０２（例えば、スクリューシャンク４０２）と動作可能に連結され、その結果、磁性部品６０２のＮ極部が固定具３０２の第１の側４０８に存在し、磁性部品６０２のＳ極部が固定具３０２の第２の側４１０に存在する。このように、例えば、固定具３０２の第１の側４０８に付与されるＮ極磁力は、固定具３０２を所望の方向に回転させる。固定具３０２の第２の側４１０に付与されるＳ極磁力は、固定具３０２を所望の方向に回転させ続ける。また、Ｎ極とＳ極の力の付与が連続的に交互に行われると（例えば、回転的に）、固定具３０２は、所望の方向に回転し続ける。
【００５５】
別の実施例において、磁性部品６０２は、固定具３０２の少なくとも一部と回転嵌合で配置されていてもよい。一例として、図６に示されているように、第１の磁性部品６０２ａは、第１の固定具３０２ａのスクリューシャンク４０２と回転嵌合されている。そして、第２の磁性部品は、第２の固定具３０２ｂのスクリューシャンク４０２と回転嵌合されている。図７と図９Ａ〜９Ｄに示されるように、固定具３０２の形状（geometry）は、確実なエンジニアリング判断（sound engineering judgment）で選ばれたいずれの形状であってもよい。一つの実施例において、スクリューシャンク４０２は、円筒形状を含む。また、固定具３０２は、内部９０２を含み、そこに、磁性部品６０２が固定具のシャンク４０２と回転嵌合で配置されている。
【００５６】
一つの実施例において、（例えば、１または２以上の磁石を含む）磁性部品６０２は、内部９０２のいずれかの部分と固定して嵌合されていないように、内部９０２の内側で自由に動いていてもよく、または、はまって（seat）いてもよい。一つの実施例において、図１１Ａと１１Ｂに示されるように、Ｎ極１１０２とそれに反対のＳ極１１０４とを含む磁性部品６０２は、上述したように、所望の磁場にさらされるとき、内部９０２の内側で自由に回転してもよい。
【００５７】
図７、９Ａ〜９Ｄ、１０Ａ〜１０Ｄ，１１Ａ〜１１Ｂを参照して、一つの実施例において、固定具は、第１の固定具と嵌合される磁性嵌合部品９０４（スクリューシャンク４０２の内部９０２に配置される拡張部）を含んでいてもよい。一つの実施例において、磁性嵌合部品９０４は、固定具３０２とともに形成されている。別の実施例において、磁性嵌合部品９０４は、固定具３０２に取り付けられていてもよい。磁性嵌合部品９０４は、磁性部品６０２と選択的に嵌合するように構成されている。その結果、磁性嵌合部品９０４と嵌合される第１の磁性部品６０２へのトルクの付与は、トルクが固定具３０２に付与される原因になる。
【００５８】
一つの実施例において、磁性部品６０２は、カラー延長部（collar extension）７０２を含む。そのカラー延長部７０２は、磁性部品６０２と固定して嵌合された磁性環状部品（magnet collar component）７０４から延在している。例えば、磁性環状部品７０４は、固定嵌合で磁性部品６０２の周りに単に適合するように、円環形状を含んでいる。一つの実施例において、磁性環状部品７０４は、磁性部品６０２とともに形成されている。別の実施例において、磁性環状部品７０４は、磁性部品６０２に取り付けられ（例えば、圧入、付着、接着、溶接、はんだづけ等され）てもよい。また、磁性環状部品７０４は、カラー延長部７０２を含む。そのカラー延長部７０２は、スクリューシャンク４０２の内部９０２に配置される内部延長部９０４に対して反対の嵌合で配置されるように構成されている。
【００５９】
一例として、磁力（例えば、所望の磁場）が磁性部品６０２に付与されるので、磁性部品は、（例えば、上述したように、所望の磁場の回転に依存する方向に）回転することができる。そして、カラー延長部７０２は、固定具３０２の内部延長部９０４を嵌合することができる。それは、固定具３０２を同じ回転方向に回転させる。一つの実施例において、内部９０２は、固定具３０２に適切なトルクを提供するために、磁性嵌合部品９０４（例えば、内部延長部）とカラー延長部７０４の嵌合を改善するために磁性部品（例えば、および／または磁性環状部品７０４）のためのトラック（track）を含んでもよい。
【００６０】
一つの目的において、所望の磁場によって提供される磁力は、磁性部品６０２（例えば、磁性環状部品７０４のカラー延長部７０２）を固定具３０２の磁性嵌合部品９０４に嵌合させると、磁性部品６０２は反発する（例えば、嵌合から反発する）。それは、固定具に残っている回転抵抗の量に依存している。一つの実施例において、磁性嵌合部品９０４を解放する（例えば、磁性嵌合部品９０４から離れるように反発する）磁性部品６０２上で、固定具が若干の量の回転抵抗を引き起すと（例えば、回転を止めると）、磁性部品６０２は、磁性部品６０２が所望の磁場にさらされているとき、磁性嵌合部品９０４を再び嵌合することができる。この実施例において、磁性部品６０２が磁性嵌合部品９０４を再び嵌合すると、回転ハンマリング力（rotational hammering force）が固定具３０２に付与される。
【００６１】
一例として、所望の磁場によって提供される磁力は、磁性部品６０２に再び付与され、それによって、それを固定具３０２のスクリューシャンク４０２内の磁性環状部品７０４のカラー延長部７０２に再接触させている。この実施例において、繰り返される反発、再嵌合の動作は、カラー延長部７０２と磁性嵌合部品９０４（例えば、スクリューシャンク４０２の内部延長部）との間のハンマリング効果の一種を引き起こすことができる。それは、ハンマリング動作であってもよい。例えば、ハンマリング動作は、特に、回転抵抗にさらされているとき、固定具３０２を回転させることができる。このように、例えば、緩んだねじがより効果的に締め付けられ、きついねじがより効果的に緩められる。
【００６２】
図６〜８、１２Ａ〜１２Ｃ、１３Ａ〜１３Ｃを参照し、続けて、図３〜５、９〜１１を参照して、スクリューキャップ６０４は、図６と７に示されるように、固定具３０２（例えば、それらの間に位置された磁性部品６０２）と動作可能に連結されている。一つの実施例において、スクリューシャンク４０２は、ねじ部４０４の端部に配置された平滑末端（blunt end）を含む。その平滑末端は、例えば圧力ばめで、スクリューキャップ６０４と嵌合されている。一例として、スクリューキャップ６０４と嵌合された平滑末端は、（例えば、ねじ部が締め付けられると）ロッドホルダー３０８に挿入されるロッド３０４に圧力を付与するように構成されている。その結果、ロッド３０４は、ロッドホルダー３０８のロッド受け入れシャフト５０６内に（例えば、所望の緊張力で）固定されている。
【００６３】
図５〜７に示されるように、第１のねじ止め部品５０８ａは、ロッドホルダー３０８の第１の端部３１０に配置され、および／または、第２のねじ止め部品５０８ｂは、ロッドホルダー３０８の第２の端部３１２に配置されている。ねじ止め部品５０８は、所望の設定を超えた、固定具３０２の過度の回転を軽減するように構成されている。ねじ止め部品５０８は、ロッドホルダーに配置されるチューブを含むストップレシーバー５０２と、ストップレシーバー５０２と選択的に嵌合されるように構成されたストップピン５０４とを含む。一例として、固定具３０２がロッドホルダー３０８の固定具受け取り孔８０２に挿入された後、ストップピン５０４は、ストップレシーバー５０２に挿入される。このように、例えば、図５に示されるように、スクリューヘッド３０６の一部は、固定具３０２が緩められたとき（例えば、外側に回転されたとき）、ストップピン５０４と嵌合する。それによって、固定具３０２がストップピン５０４の位置を超えて回転することを防止する。
【００６４】
一例として、ねじ止め部品５０８は、固定具受け取り孔８０２から固定具を不注意にねじって外し、それによって、ロッドホルダー３０８から解放されることを軽減する。ねじ止め部品５０８は、確実なエンジニアリング判断で選ばれたいずれの機械的止め具を含んでもよい。例として、ねじ止め部品５０８は、図５に示されているように、ロッドホルダー３０８に対して内部にあってもよく、および／または、ロッドホルダー３０８に対して外部にあってもよい。別の設計において、ねじ止め部品５０８は、固定具３０２自身と一体化されていてもよく、および／または、固定具３０２の内部または外部に留められていてもよい。
【００６５】
図８と１４に示されるように、ロッドホルダー３０８は、第１のねじ受けホールド８０２ａと、第２のねじ受けホールド８０２ｂとを含む。ねじ受け孔は、位置決めねじのような固定具３０２を受け取るように構成されている。ロッドホルダー／固定具の構成の別の構成は、当業者によって容易にデザインされる。例として、一つの実施例において、ロッドホルダーは、ロッドクランプ１４０２の一種を含んでいてもよい。位置決めねじタイプの固定具３０２は、各ロッドホールディングシャフト１４０４に１または２以上のロッドを固定するために使用される。
【００６６】
一つの実施例において、固定具３０２の１または２以上の部分および／または固定具受け取り孔８０２は、適切な（例えば、医学的に不活性な）材料で密閉されている。一つの実施例において、磁性部品６０２は、例えば、磁性部品６０２の腐食を軽減するために、固定具３０２内に密閉されている。一例として、スクリューキャップ６０４は、スクリューシャンク４０２の内部９０２内に磁性部品６０２を密閉する。一つの実施例において、非侵襲的なテンションデバイス３００の全体の密閉は、デバイス３００の付属部品に不要な物質の形成を軽減する。例えば、その物質は、ロッドホルダー３０８のねじ受けホールド８０２と効果的に嵌合するねじ部４０４の能力を妨げる。
【００６７】
図３〜１４を参照して、第１の固定具３０２ａは、第１のねじ受け孔８０２ａに挿入されている。そして、第２の固定具３０２ｂは、第２のねじ受けホールド８０２ｂに挿入されている。一つの実施例において、第１および／または第２の固定具３０２は、位置決めねじを含んでいてもよい。例えば、位置決めねじは、圧力を使用するロッドホルダー３０８に対してロッド３０４を固定するために、ロッド３０４を嵌合するように構成された平坦または比較的平滑な末端を含む。一つの実施例において、位置決めねじは、尖っているまたは比較的尖っている末端を含んでいてもよい。その末端は、ロッド３０４の、刻み目、孔、くぼみ、切り込みまたは他の位置決めねじ受け切り欠きに嵌合するように構成されている。
【００６８】
一例として、ロッド３０４は、複数のロッド位置決めエレメント（例えば、刻み目、孔、くぼみ、切り込み等）を含んでいてもよい。複数のロッド位置決めエレメントのそれぞれは、所望の位置でロッドホルダーに対してロッドの固定を容易にするように構成されている。例えば、ロッド位置決めエレメントは、所望の脊柱側弯症の治療に関して、ロッドを調節するために適したロッドに沿った位置に配置されている。別の例として、１または２以上のロッド（例えば、３０４ａ、３０４ｂ）のそれぞれは、所望の間隔で配置された複数の刻み目および／または所望の間隔で配置された複数の凸部（rises）を含んでいてもよい。刻み目および／または凸部の間のくぼみは、位置決めねじを選択的に嵌合し、ロッドホルダー３０８におけるロッド３０４の固定を援助する。
【００６９】
本発明の別の実施形態において、ロッド３０４は、１または２以上の歯部を含んでいてもよい。その歯部は、ロッドホルダー３０８に配置された対応する歯部に嵌合するように構成されている。一例として、ロッド３０４の歯部は、歯止め調節システムの一種を提供するようにロッドホルダー３０８における歯部を嵌合する。そのロッドは、歯部の所望の歯止め位置に応じて、選択的に調節される。
【００７０】
図３〜１４を引き続き参照して、一つの実施例において、１または２以上の固定具がロッドホルダー３０８と嵌合された（例えば、ロッドホルダーにねじ留めされた）後、第１のストップピン５０４ａが第１のストップレシーバー５０２ａと嵌合され（例えば、に挿入され）、および／または、第２のストップピン５０４ｂが第２のストップレシーバー５０２ｂと嵌合される。これにより、上述したように、固定具は、ロッドホルダー３０８から不注意に解放されない。
【００７１】
第１のグローイングロッド３０４ａは、ロッドホルダー３０８の第１ロッド受け入れシャフト５０６ａに挿入される。そして、第２のグローイングロッド３０４ａは、ロッドホルダー３０８の第２ロッド受け入れシャフト５０６ｂに挿入される。一つの実施例において、上述したように、第１および／または第２グローイングロッド３０４は、骨（脊椎および／または胸郭の部分）に選択的に留められる。また、一つの実施例において、ロッドホルダー３０８は、例えば、図１４のロッドクランプを使用するように、骨（例えば、人間）に選択的に留められる。一例として、骨に非侵襲的テンションデバイス３００を留めた後、患者は手術で縫合される。
【００７２】
図１５、１６Ａ〜１６Ｃを参照し、続いて図３〜１４を参照して、患者に手術で埋め込まれた非侵襲的テンションデバイス３００を調節するために、ロッドホールディング固定具３０２が緩められる必要がある。侵襲的手術なしに固定具３０２を動かすために、磁場発生部品１５０２が利用される。磁場発生部品１５０２は、１または２以上の作動磁石１６０４と、１または２以上の作動磁石１６０４と動作可能に連結される軸１６０２とを含む。軸１６０２は所望の磁場を発生するために磁気回転軸の周りで、作動磁石１６０４を回転させるように構成されている。一例として、回転する磁石は、固定具３０２に配置された磁性部品６０２に近接近させると、固定具を回転するために必要とされる磁力を提供する。
【００７３】
一例として、第１の作動磁石１６０４ａは、その外側に面する端面に配置されたＮ極を含み、第２の作動磁石１６０４ｂは、その外側に面する端面に配置されたＳ極を含み、第３の作動磁石１６０４ｃは、その外側に面する端面に配置されたＮ極を含み、第４の作動磁石１６０４ｄは、その外側に面する端面に配置されたＳ極を含んでいる。この例において、軸１６０２が回転すると、Ｎ-Ｓが交互に入れ替わる磁力が磁場発生部品１５０２の面に提供される。例えば、磁場発生部品１５０２は、ハウジング１６０６と、面とを含む。その面は、患者に配置された非侵襲的テンションデバイス３００の固定具３０２の位置に接近して位置される。駆動すると（例えば、所望の方向に回転すると）、Ｎ-Ｓが交互に入れ替わる磁力は、ハウジング面に備えられ、上述したように、固定具３０２を回転（例えば、非侵襲的に）させる。
【００７４】
また、一つの実施例において、磁場発生部品１５０２の１または２以上の磁石１６０４は、第１の方向（例えば、時計まわり）に回転される。例えば、回転トルクを第１の方向で固定具３０２に付与させる。この実施例において、磁場発生部品１５０２の１または２以上の磁石１６０４は、第２の方向（例えば、反時計まわり）に回転される。例えば、回転トルクを第２の方向で固定具３０２に付与させる。
【００７５】
加えて、隣接して配置された回転磁性部品（例えば、固定具）に対する磁場発生部品１５０２の方位は、隣接する回転磁性部品が結果として磁場によって影響を及ぼされているかどうかを測定する。例えば、２つの回転磁性部品が互いに比較的直交して配置される（例えば、患者におけるグローイングロッド装置に配置される）、すなわち、回転磁性部品に対する第１の方位における磁場発生部品１５０２の設置は、回転トルクが単に、回転磁性部品の一方に適用される原因となる。この例において、回転磁性部品に対する第２の方位における磁場発生部品１５０２の設置は、回転トルクが単に、回転磁性部品の一方ではなく、回転磁性部品の他方に適用される原因となる。このように、例えば、医師が一度に一つの固定具のみを緩める（例えば、または締め付ける）ことを望むと、磁場発生部品１５０２は、望んでいない固定具ではなく、望んでいる固定具が磁場によって影響されるように、適切な姿勢で使用される。
【００７６】
一つの目的において、磁場発生部品１５０２からの磁力の働きは、上述したように、ハンマリング力（hammering force）を作ることができる。一つの実施例において、磁性部品６０２は、グローイングロッド３０４またはねじ止め部品５０８に対しての締め付けから回転抵抗が引き起こされるまで、スクリューシャンク４０２とねじ部４０４に対して相関的な回転（one to one revolution）で回転する。この実施例において、例えば、回転抵抗が引き起こされると、磁性部品６０２は、スクリューシャンク４０２とねじ部４０４と同じスピードで回転しない。すなわち、例えば、磁性部品６０２は、スクリューシャンク４０２より大きい速度を有する。この例において、磁性部品６０２の各回転は、スクリューシャンク４０２を１回転で回転しようとする。しかしながら、回転抵抗が引き起こされると、固定具３０２は、全回転を変化させない。
【００７７】
図示の例に示すように、医者がグローイングロッド１４のテンションを調節する必要があると判断すれば、磁場発生部品１５０２は、１または２以上のテンションロッド３０４を固定する固定具を緩めるために使用される。この例において、磁場発生部品１５０２は、患者に接近して配置され、（例えば、電動スクリュードライバーや電動ドリルのような電動回転源によってまたは手動で）回転される。また、回転は、ある方向に付与される。その方向は、例えば、トルクを発生させる方法で、固定具３０２内で磁性部品６０２を回転させる（時計まわり方向に）。上述したように、トルクは、固定具３０２を回転させることができる（例えば、緩める）。
【００７８】
加えて、この例において、所望の位置に患者の位置を調整した（例えば、ロッドホルダー３０８の中および／または外にテンションロッド３０４を動かした）後、各固定具は再び締め付けられる。一例として、磁場発生部品１５０２の回転は、反対にされ、それによって、固定具を反対方向（例えば、反時計まわり）に回転させている。この例において、固定具３０２は、少なくとも、それがグローイングロッド３０４に接するまで、ロッドホルダー３０８のねじ受け孔８０２の中で回転する。上述したように、磁性部品６０２によって提供されるハンマリング力は、固定具をロッドホルダー３０８のロッド３０４にしっかりと保持させる。一つの実施例において、非侵襲的テンションデバイスは、ロッド３０４との頑丈な嵌合から固定具３０２の緩みを軽減するように構成された固定具ロッキング部品を含んでいてもよい。
【００７９】
一つの目的において、グローイングロッド（例えば、３０４）が調節されると、ある手段がロッドの位置の変化を測定するために使用される。一つの実施例において、ディストラクション（distraction）を測定するために、確実なエンジニアリング判断で選択されるいずれの手段が適用されてもよい。一例として、グローイングロッドのビーズ（図示しない）が使用されてもよい。そのビーズは、ＣＴスキャン、蛍光透視法または他の非侵襲的手段のような非侵襲的スキャンを使用して検出される。一つの実施例において、電磁気手段は、例えば、調節中、ディストラクションの距離を測定するために使用される。一例として、センシング手段（例えば、センサーデバイス）は、回転磁性部品（例えば、磁気駆動ねじ）の極性変化を測定するために実装される。この実施例において、例えば、回転磁性部品の極性変化は、回転磁性部品の特別な回転数（例えば、１回転）を示す。これは、例えば、どのくらいの距離、部品が１回転につき進むかということを測定するために、ねじの距離分と回転数とを組み合わせることによって、進む距離をさらに示している。
【００８０】
一つの目的において、制御装置は、例えば、所定の回転数（例えば、および／または進行距離）が満たされたとき、回転磁性部品に付与される磁力の効果を軽減することによって、回転磁性部品（例えば、固定具および／または駆動ねじ）の回転数（例えば、および進行距離）を制限するために使用される。一例として、医師は、磁気駆動ねじが５ミリメートルまで調節されることができることを示す。この例において、制御装置は、磁気駆動ねじが好ましくは５ミリメートル進むことを特定するセンシング手段の磁力発生部品を遮断する（例えば、または、磁力から磁気駆動ねじを保護する）。これにより、例えば、所望のディストラクションは、グローイングロッドが取り乱した状態または取り乱し過ぎた状態のような機会を軽減しながら、付与される。
【００８１】
本発明の別の実施例において、デバイス３００は、異なるインプラントシステムが必要とされ脊椎の融合に利用できるように、矯正が終了するような小児科の患者から除去されてもよい。そのような場合において、例えば、デバイス３００は、回転磁石（例えば、６０２）が固定具（例えば、３０２）を緩める必要がないように、調節可能である。例えば、デバイスの１または複数の固定具は、デバイスを取り除くために、適切な道具（例えば、レンチまたは位置決めねじドライバー）や外部外科機器で緩められてもよく、患者のためになるように、柔軟性と適応性を改善する。先行技術からの重要な差異の一つは、シャフト（例えば、３０８）内に駆動メカニズムがないことである。一つの実施例において、例示的なデバイス３００は、デバイス３００を操作するために、複雑なギア、複雑なスプリング、複雑なバッテリーまたは複雑な他の部品を含まなくてもよい。
【００８２】
ここに記載された本デバイス及びシステムは、脊柱側弯症の治療用途のために詳細に説明されているが、種々の整形外科用途および他の医療用途に適用されることができる。それらの用途は、特に限定されないが、位置決めねじが利用されるいずれの用途を含む。限定されない実施例は、骨プレート、骨ロッドまたは他のねじと共に使用される位置決めねじを含んでいてもよい。本実施例は、限定なしに、骨折または骨変形を含む種々の病気を治療するために使用される。
【００８３】
別の態様では、磁気系駆動部（magnet-based drive）は、部材結合部品（例えば、ロッドホルダー）に対して部材（例えば、ロッド）を移動するために使用される。例えば、前述され（例えば、図６〜１１）、ロッドホルダーの固定具を回転的に移動するために使用される磁気系駆動部は、カプラ部材に対して、磁気系駆動部と嵌合（engage）される部材を直線的に移動するために使用される。
【００８４】
図２１は、カプラ部材に対して部材を移動させるためのシステムの例示的な実施形態２１００を示す構成図である。一実施例において、（例えば、図１７〜２０でより詳細に記載されるように）、磁気系駆動部２１０２（例えば、以下の図１９の１７１６）は、磁性環状部品（magnet collar）（例えば、図７〜１０の７０４）と（例えば、固定的に）嵌合された磁石（例えば、図６〜１１の６０２、図１９の１７１８）を含む。その磁性環状部品は、磁気系駆動部２１０２の内面（例えば、図９Ａ、９Ｃの９０２）の磁性嵌合部品（例えば、図９Ａ、９Ｃの９０４）と嵌合する。例えば、上述したように、磁石の回転は、磁気系駆動部２１０２の内面と嵌合するカラー（環状部品）をもたらす。それにより、磁石の回転方向に磁気系駆動部の回転移動（rotational translation）をもたたらしている。
【００８５】
一つの実施例において、この態様では、磁気系駆動部２１０２は、第１のねじ山（first screw thread）を含むか、第１のねじ山と動作可能に結合されている。そして、それが回転するとき、相補的な第２のねじ山（例えば、カプラ部材２１０４に配置された）と螺合すると、得られた回転移動を直線状の移動に変換することができる。また、この実施例において、例えば、磁気系駆動ねじ２１０２の直線的な移動は、磁気系駆動ねじ２１０２と嵌合した部材２１０６、２１１０の直線的な移動（linear translation）をもたらすことができる。
【００８６】
一実施例において、第１の部材２１０６は、カプラ部材２１０４と動作可能に結合されている２１０８。例えば、第１の部材２１０６をカプラ部材２１０４と動作可能に結合するための手段（例えば、２１０８）は、螺合を含む。すなわち、例えば、第１の部材２１０６は、その外周部の周りに配置された雄ねじ山を含み、カプラ部材２１０４は、内周部の周囲の周りに配置された相補的な雌ねじ山を含む。そして、第１の部材２１０６とカプラ部材２１０４は、操作可能なカップリング２１０８を提供するために螺合されている。別の例として、第１の部材２１０６は、カプラ部材２１０４と摺動可能に嵌合されている。第１の部材２１０６の外部寸法は、カプラ部材２１０４の内部寸法と滑動可能な嵌合で適切にフィットするように寸法付けされている。
【００８７】
一実施例において、駆動部２１０２の回転移動は、カプラ部材２１０４の内部と駆動部２１０２の螺合によって、直線移動に変換されることができる。また、この実施例において、駆動部２１０２は、カプラ部材２１０４と結合されている第１の部材２１０６と係合（例えば、隣接、結合等）されてもよい。その結果、駆動部２１０２の直線移動は、第１の部材２１０６の比例的な直線移動をもたらす。加えて、一実施例では、第２の部材２１１０は、（例えば、第１の部材２１０６と同様または異なる方法で）カプラ部材２１０４と動作可能に結合され２１１２、駆動部２１０２の直線移動の結果として、カプラ部材２１０４に対して移動するように構成されている。
【００８８】
一つの実施例で、この態様において、例示的なグロースロッド装置１７００が図１７〜２０に示される。この実施例において、１または２以上のグローイングロッド１７０２（例えば、図２１の２１０６および／または２１０８のような部材）は、上述されたもの（例えば、磁場発生部品（例えば、図１５における１５０２））と類似するデバイス方法によって調節される。この実施例１７００において、ロッドホルダー１７０４は、（例えば、図３の３０８のように）備えられ、１または２以上のグローイングロッド１７０２を保持するように構成されている。また、この実施例１７００において、上述されたような（例えば、図３の３０２）第１の磁石ベースの位置決めねじ１７０６は、例えば、ロッドホルダー１７０４中で回転されると、ロッドホルダー１７０４の第１の端部１７０８と回転可能に嵌合され、グローイングロッド１７０２を選択的に係合するように構成されている。加えて、第２の磁石ベースの位置決めねじ１７１０（例えば、または従来の位置決めねじ）は、例えば、ロッドホルダー１７０４中で回転されると、ロッドホルダー１７０４の第２の端部１７１２と回転可能に嵌合され、グローイングロッド１７０２を選択的に係合するように構成されている。
【００８９】
一つの実施例において、１または２以上のグローイングロッド１７０２と嵌合されるロッドホルダー１７０４のシャフト部１７１４は、内部ねじ切り（例えば、雌ねじ切り）を含むことができる。また、磁気駆動ねじ（magnetic drive screw）１７１６は、シャフト部１７１４に配置されている。一つの実施例において、磁気駆動ねじ１７１６は、そこに配置された駆動磁石１７１８（例えば、図６の６０２に類似する）を含む。一つの実施例において、駆動磁石１７１８は、図２〜１６で上述されたものと類似する方法で、上述された磁場発生部品（例えば、図１５における１５０２）のような内部駆動デバイスを使用して駆動（例えば、回転）されるように構成される。すなわち、例えば、磁性環状部品（例えば、図７の７０２）は、駆動磁石１７１８に固定して取り付けられる。磁気駆動ねじ１７１６は、駆動磁石１７１８の磁性環状部品と反回転嵌合に配置された内部磁性嵌合部品（例えば、図９Ａの９０４）を含む。これにより、上述したように、適切な回転磁力が磁気駆動ねじ１７１６に付与されると、駆動磁石１７１８の磁性環状部品は、例えば、磁気駆動ねじ１７１６内の磁性嵌合部品にトルクを付与する。それによって、付与された回転磁力に従って、磁気駆動ねじ１７１６を回転させている。
【００９０】
一つの実施例において、磁気駆動ねじ１７１６は、外ねじ（例えば、雄ねじ）を有している。その外ねじは、ロッドホルダー１７０４のシャフト部１７１４の外ねじを螺合するように構成されている。この実施例において、例えば、磁気駆動ねじ１７１６を磁気的に回転することは、磁気駆動ねじ１７１６の回転方向（例えば、したがって、磁力発生部品１５０２の回転および／または方位）に依存して進む方向に、磁気駆動ねじ１７１６をロッドホルダー１７０４のシャフト部１７１４に沿って進ませる。
【００９１】
一つの実施例において、１または２以上のグローイングロッド１７０２は、例えば、シャフト部１７１４と嵌合され、第１および／または第２の固定具１７０６、１７１０によってロッドホルダー１７０４に固定される。また、この実施例において、グローイングロッド１７０２がロッドホルダー１７０４に固定されないと（例えば、固定具１７０６が緩められると）、磁気駆動ねじ１７１６は、グローイングロッド１７０２を伸ばすように使用される。例えば、磁気駆動ねじ１７１６は、磁気駆動ねじ１７１６をシャフト部１７１４に配置されたグローイングロッド１７０２の端部に嵌合させるように磁気的に回転されることができる。その結果、磁気駆動ねじ１７１６は、シャフト部１７１４から外へグローイングロッド１７０２の少なくとも一部を押圧する。この例において、固定具１７０６は、所望の位置でロッドホルダー１７０４のグローイングロッド１７０２を固定するために（例えば、磁気的に）締め付けられている。
【００９２】
別の例として、磁気駆動ねじ１７０６が作動すると、グローイングロッド１７０２が１回の調節に対して約５ｍｍと２０ｍｍの間でロッドホルダー１７０４内を移動（平行移動）することが期待される。例えば、１または２以上の磁気位置決めねじ（magnetic set screws）１７０６、１７１０は、磁場発生部品（例えば、適切な方位で図１５における１５０２）とともに緩められる。それは、グローイングロッド１７０２をロッドホルダー１７０４に対して緩ませる。また、この例において、磁場発生部品は、磁気駆動ねじ１７１６を作動することができ、ロッドホルダー１７０４のシャフト部１７１４内で磁気駆動ねじ１７１６を回転させる。磁気駆動ねじ１７１６は、例えば、グローイングロッド１７０２に力を付与することができる。それによって、ロッドホルダー１７０４において、グローイングロッド１７０２を所望の距離進ませている。この例において、一度、所望の調節がなされると、１または２以上の磁気位置決めねじ１７０６、１７１０は、磁場発生部品で締め付けられる。それによって、ロッドホルダー１７０４にグローイングロッド１７０２を固定している。加えて、確実なエンジニアリング判断で選ばれたいずれのデバイスおよび方法論も、磁気駆動ねじ１７１６がグローイングロッド１７０２と直接または間接に嵌合され、駆動磁石１７１８が磁場発生部品１５０２によって作動される限り、ロッドホルダー内のグローイングロッドの所望の進行距離を得るために使用されてもよい。
【００９３】
図２２Ａ、２２Ｂおよび２２Ｃは、調整可能なロッドシステムの別の実施形態２２００の例を示す構成図である。例えば、そのロッドシステムは、脊柱側弯症（例えば、または、いくつかの他の骨格関連および／または筋骨格関連障害、疾患および／または損傷）の治療に利用される。この例示的な実施形態２２００において、第１のロッド２２０２は、ロッドホルダー２２０４と選択的に、摺動可能に嵌合されている。すなわち、例えば、第１のロッド２２０２は、前述したように、ユーザー（例えば、治療医）によって、ロッドホルダー２２０４の中および外にスライドされる。また、この実施形態において、第２のロッド２２１０は、ロッドホルダー２２０４に嵌合されている。一つの実施形態において、第２のロッド２２１０は、ロッドホルダー２２０４と固定的に嵌合（例えば、溶接、半田付け、付着、形成、固定）されている。
【００９４】
別の実施例において、第２のロッド２２１０は、ロッドホルダー２２０４と非固定的に嵌合されている。この実施例において、ねじ（例えば、椎弓根螺子または他の適切な固定具）のような固定具２２１２は、ロッドホルダー２２０４に第２のロッド２２１０の非固定嵌合を選択的に確保するために使用される。一つの実施例において、固定具２２１２は、上記の図３〜７の３０２のような磁気的に制御された固定デバイスを含む。つまり、例えば、例示的な固定具２２１２は、上記の図１５および１６の１５０２のような外部磁場の使用によって、締め付けられおよび／または緩められる。
【００９５】
伸延ロッドシステムの例示的な実施形態２２００は、駆動機構２２０６を含む。その駆動機構は、適切な磁場にさらされたとき、ロッドホルダー２２０４の中心軸に沿って前後に駆動されるように構成されている。また、駆動機構２２０６は、第１のロッド２２０２の第１の端部（例えば、基端部）に配置された第１の部分２２２２で第１のロッド２２０２と動作可能に嵌合されている。この実施例において、第１のロッド２２０２の第１のロッド部分２２２２は、回転嵌合で駆動機構２２０６を受け取るように構成されている。また、第１のロッド２２０２の第２のロッド部分２２２４は、ロッドホルダー２２０４の第１の部分２２２２で駆動機構２２０６の嵌合を維持するように構成されている。一つの実施例において、第１のロッド２２０２の第２のロッド部分２２２４は、第１のロッドで形成されている（例えば、と共に形成されている）。別の実施例では、第１のロッド２２０２の第２のロッド部分２２２４は、第１のロッド２２０２に固定（例えば、ねじ止め、付着、溶接またははんだ付け、圧入等）されていてもよい。一例として、駆動機構２２０６は、第１のロッド２２０２の第１の部分２２２２と最初に結合される（例えば、第１のロッド部分上にスライドされている）。また、第１のロッド２２０２の第２の部分２２２４は、例えば、第１のロッド２２０２上の駆動機構２２０６を保持するために、第１のロッド２２０２に続いて固定される。
【００９６】
図２２Ａおよび２２Ｃに示されるように、駆動機構２２０６は、駆動ねじ部２２２０を含む。この駆動ねじ部２２２０は、ロッドホルダー２２０４のホルダーねじ部２２１４と螺合するように構成されている。一つの実施例において、駆動ねじ部２２２０は、ロッドホルダー２２０４のホルダーねじ部２２１４の雌型ねじ山と螺合するように構成された雄型ねじ山を含む。これにより、例えば、駆動機構２２０６の回転は、ロッドホルダー２２０４内で駆動機構２２０６の直線的な移動（例えば、前方および／または後方）をもたらす。また、この実施例において、駆動機構２２０６の移動はまた、第１のロッド２２０２の移動（例えば、駆動機構２２０６と同じ方向）をもたらす。第１のロッド２２０２は、ロッドホルダー２２０４に対して、駆動機構２２０６と動作可能に嵌合されている。一例として、第１の回転方向への駆動機構２２０６の回転は、ロッドホルダー２２０４の第１の直線方向（例えば、ロッドホルダー２２０４の開口部に向けて前方）に移動する駆動機構２２０６および第１のロッド２２０２をもたらす。別の実施例として、第２の回転方向への駆動機構２２０６の回転は、ロッドホルダー２２０４の第２の直線方向（例えば、後方）に移動する駆動機構２２０６および第１のロッド２２０２をもたらす。一実施形態では、駆動ねじ部２２２０（例えば、ねじ要素）は、ロッドホルダー２２０４（例えば、第１の部材）と、第１のロッド２２０２（例えば、第２の部材）との間に動作可能に配置される。
【００９７】
一つの実施例において、駆動ねじ部２２２０および／またはホルダーねじ部２２１４は、ロッドホルダー２２０４内の第１の直線方向または第２の直線方向の一方に駆動機構２２０６の移動を軽減するように構成されている。すなわち、例えば、駆動ねじ部２２２０および／またはホルダーねじ部２２１４の構成は、第１の直線方向（例えば、前方）に駆動機構２２０６を適切に移動することができるが、第２の直線方向（例えば、後方）に駆動機構２２０６の移動を軽減する。実例として、駆動ねじ部２２２０および／またはホルダーねじ部２２１４の螺合は、ねじ山（thread teeth）および／またはねじ谷の配列を含む。それらは、ねじが第１の回転方向に容易に回転するようにさせ、それにより、第１の直線方向への移動をもたらすが、第２の回転方向に回転するねじを軽減することができる（例えば、ねじのデザインは、労力や力の特別な適用なく、ねじを前方に動かすが後方に動かさない）。
【００９８】
一実施例では、駆動機構２２０６は、磁石系のローター２２０８を含む。また、ローター２２０８は、磁性環状部品２２２６（例えば、図７の７０２）と嵌合された磁石２２３０を含む。加えて、駆動機構２２０６は、内面２２３２含み、その部分は、ローター２２０８の磁性環状部品２２２６と選択的に嵌合するように構成されている。
【００９９】
一例として、図９Ａ〜Ｄ、１０Ａ〜Ｄおよび１１Ａ〜Ｂで上記に記載されているように、および図２２Ａ、Ｂ、およびＣを続けて参照して、内面２２３２は、駆動機構２２０６の内面２２３２に配置された延長部のような磁性嵌合部品を含む（例えば、図９Ｃの９０４）。一つの実施例において、内面２２３２の磁性嵌合部品は、駆動機構２２０６と形成されている（例えば、一緒に形成されている）。そして、別の実施例において、内面２２３２の磁性嵌合部品は、駆動機構２２０６の内面に取付けられている。内面２２３２の磁性嵌合部品は、磁性環状部品２２２６と選択的に嵌合するように構成されている。その結果、駆動嵌合部品２２２６と嵌合される磁石２２３０へのトルクの付与は、固定駆動機構２２０６に付与されるトルクを発生させる。
【０１００】
一実施形態では、駆動嵌合部品（drive engaging component）２２２６は、駆動嵌合部品２２２６（例えば、磁石２２３０と固定嵌合された環状部品（カラー））から延びるカラー延長部（例えば、図７の７０２）を備える。例えば、駆動嵌合部品２２２６は、磁石２２３０の周りに固定嵌合で単に嵌合するように構成された環状形状を含む。一実施形態では、駆動嵌合部品２２２６は、磁石２２３０で形成されている（例えば、一緒に形成されている）。別の実施形態では、駆動嵌合部品２２２６は、磁石２２３０に取り付けられている（例えば、圧入、付着、接着、溶接、はんだ付けなど）。さらに、駆動嵌合部品２２２６は、カラー延長部を含む。そのカラー延長部は、駆動機構２２０６の内面２２３２の磁性嵌合部品（magnet engaging component）に対して反対嵌合で配置されるように構成されている。
【０１０１】
一例として、磁力（例えば、所望の磁場）が磁石２２３０に付与されると、磁石２２３０は、回転方向（例えば、上述したように、所望の磁場の回転に依存する第１の方向または第２の方向）に移動する。そして、駆動嵌合部品２２２６のカラー延長部は、内面２２３２の磁性嵌合部品と嵌合する。これは、駆動機構２２０６を同じ回転方向に移動させることができる。一実施態様では、駆動機構２２０６に対して適切なトルクを提供するために、内面２２３２は、駆動嵌合部品２２２６用のトラックを含む。これは、内面２２３２の磁性嵌合部品と駆動嵌合部品２２２６のカラー延長部との嵌合を改善する。
【０１０２】
１つの態様では、所望の磁場によって提供される磁力が、駆動嵌合部品２２２６（例えば、駆動嵌合部品２２２６のカラー延長部）を内面２２３２の磁性嵌合部品に嵌合させると、駆動機構２２０６に現存する回転抵抗の量に依存して、駆動嵌合部品２２２６が反発する（例えば、係合から跳ね返る）。一実施例では、内面２２３２の磁性嵌合部品を外す（例えば、から反発する）駆動嵌合部品２２２６上で、駆動機構２２０６がある程度の回転抵抗に直面すると（例えば、回転を停止する）、磁石２２３０が所望の磁場にさらされたとき、駆動嵌合部品２２２６は、内面２２３２の磁性嵌合部品と再嵌合する。この実施形態では、駆動嵌合部品２２２６が内面２２３２の磁性嵌合部品に再嵌合するとき、回転ハンマリング力が駆動機構２２０６に付与される。
【０１０３】
一例として、所望の磁場によって提供される磁力を駆動嵌合部品２２２６に再付与することができ、それによって、駆動嵌合部品２２２６は駆動機構２２０６内の駆動嵌合部品２２２６のカラー延長部に再接触する。この例では、繰り返される跳ね返りおよび再嵌合動作は、カラー延長部と、内面２２３２の磁性嵌合部品との間の一種のハンマリング効果を生じさせることができる。この例では、ハンマリング動作により、駆動機構２２０６は、特に、回転抵抗を受けたときに回転する。このようにして、例えば、駆動機構は、特に反対の直線力（opposing linear force）を受けたときに、ロッドホルダー２２０４に沿ってより効果的に直線的に移動する。
【０１０４】
一態様では、所望の磁場の回転速度は、回転ハンマリング力によって発生させることができるトルクの量に相関する。一実施態様では、（例えば、図１６の磁場発生部品１５０２における磁石１６０４の回転の増大に起因して）所望の磁場の回転速度を増大させると、駆動機構２２０６に付与されるトルクの量が比例して増加する。一例として、トルクを増加させると、（例えば第１のロッドに対する）反対の軸方向の直線力の増加をもたらす。この力は、駆動機構２２０６によって克服される。
【０１０５】
例示的な例として、第１のロッド２２０２は第１の骨または骨部分と係合し、第２のロッド２２１０は第２の骨または骨部分と係合することができる。この例では、駆動機構２２０６を使用して、第１のロッド２２０２を第２のロッド２２１０から離して直線的に移動させると、第１のロッド２２０２に対する反対の軸方向の直線力が増大する（例えば、第２のロッドに向かって第１のロッドを押し戻す）。この例において、この実施例では、所望の磁場の回転速度を増加させると、駆動機構２２０６は、第１のロッド２２０２に対して反対の軸方向の増大した直線力を打ち消す能力を高めることができる。これにより、第１のロッド２２０２が所望の磁場の回転速度を上げることなく、第２のロッド２２１０からさらに遠ざかる方向に移動することができる。
【０１０６】
一実施形態において、この態様では、経験的データは、特定の治療のために、磁場の所望の回転速度を決定するために使用される。一例として、実験データは、異なる体型（例えば、寸法、体重、筋肉、骨格配置など）を含む無数の患者の年齢群に関連する脊柱伸延力について収集される。さらに、この例では、トルクの実験的データ、およびトルクが克服することができる対応する反対の軸方向の直線力を、磁場の回転速度毎に集めることができる。この実施形態では、実験的データを使用して、患者の年齢グループおよび／または患者の体型ごとに推奨回転速度を生成する。一例として、臨床医は、ターゲット患者の年齢群および／または体型を識別し、また、処置を満足させるために、第１のロッドを所望の距離離すことによって、ターゲット患者を治療するために推奨された磁場回転速度を利用する。
【０１０７】
図２３は、伸延ロッドシステムの実施形態２３００の一例を示す構成図である。例示的な実施形態２３００は、ロッドホルダー２３０２と、第１のロッド２３１０と、第２のロッド２３３０とを含む。また、例示的な実施形態２３００は、第１のロッド２３１０と動作可能に嵌合する駆動機構２３０４を含む。図２２Ａ〜Ｃに示すように、この実施形態において、第２ロッド２３３０は、ロッドホルダー２３０２に固定的に嵌合されてもよく、または第２ロッド２３３０はロッドホルダー２３０２に非固定的に嵌合されていてもよい。
【０１０８】
さらに、図２２Ａ〜図２２Ｃにおいて上述したように、駆動機構２３０４は、ロッドホルダー２３０２と螺合されている。この実施形態２３００において、駆動機構２３０４は第１のねじ山２３２２（例えば、雄ねじ山）を含み、ロッドホルダーは相補的な第２のねじ山２３２０（例えば、雌ねじ山）を含む。一実施形態では、螺合により、駆動機構２３０４は、ロッドホルダー２３０２内の第１の直線方向（例えば、前方）および第２の直線方向（例えば、後方）に移動することができる。一例として、駆動機構２３０４のそのような移動は、第１のロッド２３０２の対応する移動をもたらす。一実施形態において、駆動ねじ機構２３０４（例えば、ねじ要素）は、ロッドホルダー２３０２（例えば、第１の部材）と、第１のロッド２３１０（例えば、第２の部材）との間に動作可能に配置される。
【０１０９】
さらに、一実施態様では、上述のように、第１のねじ山２３２２および第２のねじ山２３２０は、例えば、第１の方向に駆動機構の回転移動を可能にするように構成され、第２の方向に駆動機構の回転移動を軽減する。それによって、駆動機構２３０４が第１の方向に直線的に移動することを可能にするが、第２の方向への駆動機構２３０４の直線的な移動を軽減する。
【０１１０】
この実施形態２３００では、第１のロッド２３１０は、駆動機構２３０４と回転嵌合（rotational engagement）で結合するように構成されたロッドハブ２３１２を含む。すなわち、例えば、駆動機構２３０４は、例えば、ロッドホルダー２３０２の内部の駆動機構２３０４の回転および移動中、ロッドハブ２３１２を効果的に受け取り、ロッドハブ２３１２を回転嵌合状態に保持する構成を含む。一実施形態では、ロッドハブ２３１２（例えば、および／または駆動機構）は、ロッドハブ２３１２と駆動機構との間の回転嵌合を容易にするように構成されたベアリングを含む。例えば、ベアリングは、典型的には、回転嵌合で配置された２つの部品間の摩擦を軽減するために使用される。例示的な実施形態２３００は、本明細書に記載された例示的な回転嵌合に単に限定されない。当業者であれば、摩擦を軽減することができる代替の回転嵌合手段を考案することができると予想される（例えば、駆動機構２３０４の嵌合部分および／またはロッドハブ２３１２上にコーティングする摩擦抵抗ポリマーの用途）。
【０１１１】
この実施形態２３００において、駆動機構２３０４は、磁石系のローター２３０６（例えば、図２２Ａ〜Ｃで説明したような２２０８）を含む。図２２Ａ〜Ｃ（例えば、および図９Ａ〜Ｄ、１０Ａ〜Ｄおよび１１Ａ〜Ｂ）で上述されたような同様の配置では、ローター２３０６は、磁性環状部品（magnet collar）（図示されないが、例えば、図２２Ｃの２２２６に類似し、図７の７０２に類似する）と嵌合する磁石２３０８を含む。加えて、駆動機構２３０４は、内面（図示しないが、例えば、図２２Ｃの２２３２に類似する）を含み、その部分は、上述したように、ローター２３０６の磁性環状部品と選択的に嵌合するように構成されることができる。この実施形態において、駆動機構は、図２２Ａ〜Ｃで上述したような類似した態様で、第１の方向と第２方向に移動されることができる。
【０１１２】
図２４Ａおよび図２４Ｂは、本明細書で説明する１つまたは複数のシステムの１つまたは複数の部分の１つの実施形態２４００の例を示す構成図である。この例示的な実施形態２４００において、第１のロッド２４０６は、ロッドホルダー２４０２と選択的に嵌合される。また、第１のロッド２４０６は、第１のロッド２４０６の第１の端部で、駆動嵌合部品２４０４と動作可能に嵌合することができる。駆動嵌合部品２４０４は、第１の嵌合ねじ部（first engagement threaded portion）２４１８を含む。その第１の嵌合ねじ部２４１８は、磁気駆動部品２４０８の外面上に配置された駆動ねじ２２４０と螺合するように構成されている。図２４Ａは、駆動嵌合部品２４０４の第１の嵌合ねじ部２４１８の一例を示しているが、ねじ部は、駆動嵌合部品２４０４の多種多様の部分を含み、例示的な実施形態に限定されない。例えば、ねじ部は、駆動嵌合部品２４０４の実質的に全体の長さ、磁気駆動部品２４０８を効率的に螺合する駆動嵌合部品２４０４の十分な長さ、または、これらの２つの例の間の総計を含むことが予想される。当業者は、第１の嵌合ねじ部２４１８の代替寸法を工夫してもよい。
【０１１３】
例えば、駆動嵌合部品２４０４は、長尺状の開口スロット（例えば、またはスロットを有さない両サイドが閉じられたスリーブ）を有する側部開放スリーブを含む。そのスリーブは、磁気駆動部品２４０８の長さおよび径を実質的に受けとる（収容する）ように寸法決めされている。この例では、駆動嵌合部品２４０４の基端は、第１の嵌合ねじ部２４１８を含む。その第１の嵌合ねじ部は、実質的にすべての磁気駆動部品２４０８が駆動嵌合部品２４０４内に配置されるとき（例えば、図２４Ａのように）、磁気駆動部品２４０８の先端と螺合することができる。このように、この例では、トルクが磁気駆動部品２４０８に付与され、それによって回転移動が生じるとき、駆動嵌合部品２４０４は、螺合によって、磁気駆動部品２４０８の先端から、磁気駆動部品２４０８の基端に向かって直線的に移動される。さらに、この例では、駆動嵌合部品２４０４の直線移動は、駆動嵌合部品２４０４と連結される第１のロッド２４０６の直線移動をもたらす。一つの実施形態では、ねじ式磁気駆動部品２４０８（例えば、ねじ要素）は、ロッドホルダー２４０２（例えば、第１の部材）と、第１のロッド２４０６（例えば、第２の部材）との間に動作可能に配置されている。
【０１１４】
一実施態様では、上述のように、トルクは、磁石系のローター２４２２（例えば、図２２Ａ〜２２Ｃの２２０８および図２３の２３０６）によって、磁気駆動部品２４０８に付与される。この実施形態２４００では、磁気駆動部品２４０８に配置された磁石系のローター２４２２は（例えば、図２２Ａ〜Ｃおよび図２３、および図９Ａ〜Ｄ、１０Ａ〜Ｄおよび１１Ａ〜Ｂに記載されているように）、磁性環状部品２４１４と結合される（例えば、固定的に）磁石２４１２を含む。加えて、磁気駆動部品２４０８は、内面（図示されていないが、例えば、図２２Ｃの２２３２に類似する）を含む。その一部分は、上述したように、ローター２３０６の磁性環状部品と選択的に嵌合するよう構成されている。この実施形態では、磁気駆動部品２４０８は、図２２Ａ〜２２Ｃにおいて上述したような同様の態様で、第１の方向および／または第２の方向に回転的に移動させることができる。
【０１１５】
さらに、この実施形態では、例えば、装着された磁気駆動部品２４０８の回転移動は、嵌合する構成に基づいて、駆動嵌合部品２４０４の第１の嵌合ねじ部２４１８の対応する直線移動をもたらすことができる。一実施形態では、駆動ねじ山２４２０と、第１の嵌合ねじ部２４１８のねじ山との間の螺合によって、磁気駆動部品２４０８がロッドホルダー２４０２の第１の直線方向（例えば、前方）および第２の直線方向（例えば、後方）に駆動嵌合部品２４０４を移動させることができる。さらに、一実施形態では、上述したように、駆動ねじ山２４２０と、第１の嵌合ねじ部２４１８のねじ山との間の螺合は、例えば、第１の直線方向に磁気駆動部品２４０８の回転移動を単に可能にするように構成され、第２の直線方向に磁気駆動部品２４０８の回転移動を軽減させる。それによって、駆動嵌合部品２４０４が第１の方向に直線的に移動するが、第２の方向への駆動嵌合部品２４０４の直線移動を軽減している。
【０１１６】
この例示的な実施形態では、第２のロッド２４１０は、ロッドホルダー２４０２と嵌合されている。一実施形態において、第２のロッド２４１０は、ロッドホルダー２４０２と固定的に嵌合（例えば、溶接、はんだ付け、接着、形成、固定）されている。別の実施形態では、第２のロッド２４１０は、ロッドホルダー２４０２と非固定的に嵌合されている。一実施形態において、ねじ（例えば、椎弓根螺子または他の適切な固定具）のような固定具２４１６が、ロッドホルダー２４０２に対して第２のロッド２４１０の非固定的嵌合を選択的に保証するために使用される。一実施形態では、固定具２４１６は、上述の図３〜７の３０２のような磁気的に制御された固定デバイスを含む。すなわち、例えば、例示の固定具２４１６は、上述の図１５および図１６の１５０２のような外部磁場の使用によって、締め付けられ、緩められる。
【０１１７】
図２５Ａおよび図２５Ｂは、本明細書で説明される１つまたは複数のシステムの１つまたは複数の部分の１つの実施形態２５００の例を示す構成図である。この実施形態２５００では、ロッドホルダー２５４０は、ロッドホルダー２５４０の第１の端部に第１のスリーブ２５０２と、ロッドホルダー２５４０の第２の端部に第２のスリーブ２５０４とを含む。また、この実施態様２５００では、第１のロッド２５１０は、第１の端部で第１のスリーブ２５０２と動作可能に連結され、第２のロッド２５１２は、第２の端部で第２のスリーブ２５０４と動作可能に連結される。さらに、この実施形態２５００では、第１のスリーブ２５０２は、第２のスリーブ２５０４と摺動可能に嵌合されている。
【０１１８】
例示的な実施例（例えば、図２５ＡおよびＢによって示されるように）として、第１のスリーブ２５０２および第２のスリーブ２５０４は、ロッドホルダー２５４０を形成するために一緒にスライドする。そして、第１のスリーブ２５０２と第２のスリーブ２５０４とを互いに向かって直線的にスライドさせることにより、ロッドホルダー２５４０を短くすることができる。一方、第１のスリーブ２５０２と第２のスリーブ２５０４とを互いに離れて直線的にスライドさせることにより、ロッドホルダー２５４０を長くすることができる。また、この例において、第１のスリーブ２５０２を第２のスリーブ２５０４から直線的に離す方向にスライドさせると、第１のロッド２５１０と第２のロッド２５１２との間の距離が増大することになる。逆に、この例において、第１のスリーブ２５０２を第２のスリーブ２５０４に向かって直線的にスライドさせると、第１のロッド２５１０と第２のロッド２５１２との間の距離が減少する。すなわち、例えば、伸延デバイスの例示的な実施形態２５００の全体の長さ（例えば、第１のロッド２５１０の先端から第２のロッド２５１２の先端まで）を増大することは、第１のスリーブ２５０２を第２のスリーブ２５０４から離すようにスライドさせることによって達成することができる。
【０１１９】
例示的な実施形態２５００では、第１のスリーブ２５０２は、第１の駆動嵌合部品２５０６と動作可能に結合される（例えば、または、を含む）。第２のスリーブ２５０４は、第２の駆動嵌合部品２５０８と動作可能に結合される（例えば、または、を含む）。また、この実施形態では、各駆動嵌合部品２５０６、２５０８は、第２の嵌合ねじ部２５２０を含む。一実施形態において、第１の駆動嵌合部品２５０６の第２の嵌合ねじ部２５２０は、第２のねじ山構成２５２６を含む。この第２のねじ山構成２５２６は、第２の駆動嵌合部品２５０８の第２の嵌合ねじ部２５２０の第４のねじ山構成２５２８と異なっている。すなわち、例えば、第１の駆動嵌合部品２５０６の第２の嵌合ねじ部２５２０の第２のねじ山２５２６は、右巻きのネジ山を含む。そして、第２の駆動嵌合部品２５０８の第２の嵌合ねじ部２５２０の第４のねじ山２５２８は、左巻のねじ山を含む。
【０１２０】
例示的な実施形態２５００では、磁気駆動部品２５１４は、第１の駆動端部２５１６および第２の駆動端部２５１８を含む。この実施形態では、第１の駆動端部２５１６は、外面に配置された第１のねじ山２５２２（例えば、右巻き構成を含む）を含む。第２の駆動端部２５１８は、外面に配置された第３のねじ山２５２４（例えば、左巻構成を含む）を含む。一実施形態では、第１のネジ山２５２２は、第１の駆動嵌合部品２５０６上に配置された第２のネジ山２５２６と螺合するように構成されている。また、一実施態様では、第３のネジ山２５２４は、第２の駆動嵌合部品２５０８上に配置された第４のネジ山２５２８と螺合するように構成されている。このようにして、例えば、磁気駆動部品２５１４が回転移動されると、回転移動は、各駆動嵌合部品２５０６、２５０８の直線移動に変換される。ここで、第１及び第２の駆動嵌合部品は、反対方向に移動される。
【０１２１】
一実施形態において、上述されたように（例えば、図２２〜２４）、図２５Ａおよび図２５Ｂの磁気駆動部品２５１４は、磁石系のローター（図示せず）を含む。これは、磁性環状部品２４１４と結合する駆動磁石によって、磁気駆動部品２４０８にトルクを付与するように構成されている。また、上述のように、付与されたトルクは、磁気駆動部品２５１４の回転移動をもたらす。この回転移動は、第１および第２の駆動端部２５１６、２５１８のそれぞれとの螺合によって、第１および第２の駆動嵌合部品２５０６、２５０８のそれぞれの直線的な移動に変換される。この実施形態において、第１および第２の駆動嵌合部品２５０６、２５０８のそれぞれの直線的な移動は、例えば、第１および第２のロッド２５１０、２５１２の反対方向である直線移動をもたらす。それによって、例示的なデバイス２５００の伸延または収縮をもたらしている。
【０１２２】
図２６は、本明細書で説明する１つまたは複数のシステムの１つまたは複数の部分の例示的な実施形態２６００を示す構成図である。この実施態様２６００では、ロッドカプラー２６０２の第２の部分２６２６は、第２のロッド２６０４と動作可能に嵌合する。この実施態様２６００では、第２のロッド２６０４は、第２の固定具２６２２を使用するロッドカプラー２６０２の第２の部分２６２６と選択的かつ固定的に嵌合される。この第２の固定具２６２２は、第２のロッド２６０４をロッドカプラー２６０２の第２の部分２６２６と選択的かつ固定的に結合するように構成されている。一例として、第２の固定具２６２２は、ねじ留め具（screw thread fastener）を含む。これは、第２のロッド２６０４を嵌合するために、ロッドカプラー２６０２の第２の部分２６２６の相補的なねじ孔にねじ込まれている。この例では、第２の固定具２６２２は、第２のロッド２６０４を受け取るように構成されたロッドカプラー２６０２の第２の部分２６２６のシャフトの内壁に対して圧力と摩擦に基づく嵌合で、第２のロッド２６０４を固定的に保持する。
【０１２３】
例示的な実施形態２６００では、第１のロッド２６０６は、ロッドカプラー２６０２の第１の部分２６１６と動作可能に嵌合される。この実施形態２６００では、第１のロッド２６０６は、第１の固定具２６２４を使用して、ロッドカプラー２６０２の第１の部分２６１６と選択的かつ固定的に嵌合される。この第１の固定具２６２４は、第１のロッド２６０６をロッドカプラー２６０２の第１の部分２６１６と選択的かつ固定的に結合するように構成されている。一例として、第２の固定具２６２２について上述したように、第１の固定具２６２４は、ねじ留め具（screw thread fastener）を含む。これは、第１のロッド２６０６をロッドカプラー２６０２の第１の部分２６１６と嵌合するために、ロッドカプラー２６０２の第１の部分２６１６の相補的なねじ孔にねじ込まれている。別の実施形態において、第１のロッド２６０６は、ロッドカプラー２６０２の第１の部分２６１６と非選択的かつ固定的に嵌合されている。例えば、第１のロッド２６０６は、ロッドカプラー２６０２の第１の部分２６１６で形成（例えば、鋳造、磨砕、成形、プレス）されている。他の例として、第１のロッド２６０６は、ロッドカプラー２６０２の第１の部分２６１６に固定的に結合（例えば、はんだ付け、溶接、ろう付け、接着など）されている。
【０１２４】
例示的なデバイス２６００は、デバイス２６００の寸法を変更するように構成される寸法調整ロッド２６０８をさらに含む。一実施形態では、寸法調整ロッド２６０８は、デバイス２６００の長さを増大させるために、および／またはバイス２６００の長さを縮小させるために使用される。例えば、寸法調整ロッド２６０８は、ロッドカプラー２６０２の第２の部分２６２６と、ロッドカプラー２６０２の第１の部分２６１６との間の距離を増大させるために使用される。これにより、第２のロッド２６０４と第１のロッド２６０６との間の距離を増大させ、その結果、第１のロッド２６０４と第２のロッド２６０６のそれぞれの先端から測定されるデバイスの長さを増大させている。別の例として、寸法調整ロッド２６０８は、ロッドカプラー２６０２の第２の部分２６２６と、ロッドカプラー２６０２の第１の部分２６１６との間の距離を減少させるために使用される。これにより、第２のロッド２６０４と第１のロッド２６０６との間の距離を減少させ、その結果、第１のロッド２６０４と第２のロッド２６０６のそれぞれの先端から測定されるデバイスの長さを減少させている。
【０１２５】
一実施形態では、寸法調整ロッド２６０８の少なくとも一部は、寸法調整ロッド２６０８の外面に配置されたロッドねじ山２６１８（例えば、雄型ねじ山）を含む。そして、ロッドねじ山２６１８は、ロッドカプラー２６０２の第２の部分２６２６の内壁に配置された相補的なカプラねじ山２６２０（例えば、雌型ねじ山）と螺合するように構成されている。一実施形態では、ロッドカプラー２６０２の第２の部分２６２６は、例えば、螺合で、寸法調整ロッド２６０８を受け取るように寸法調整されたシャフトで構成されている。一例として、寸法調整ロッド２６０８とロッドカプラー２６０２の第２の部分２６２６との螺合は、ロッドカプラー２６０２の第２の部分２６２６のシャフト内で、寸法調整ロッド２６０８の回転移動を寸法調整ロッド２６０８の長手方向の直線移動に変換するように構成される（例えば、図２６において直線的な左及び右）。一実施形態において、装着された寸法調整ロッド２６０８（例えば、ねじ要素）は、ロッドカプラー２６０２の第２の部分２６２６（例えば、第１の部材）と、ロッドカプラー２６０２の第１の部分２６１６（例えば、第２の部材）との間に動作可能に配置される。
【０１２６】
一実施形態では、寸法調整ロッド２６０８とロッドカプラー２６０２の第２の部分２６２６との螺合は、ロッドカプラー２６０２の第２の部分に対して、第１の方向に寸法調整ロッド２６０８の障害のない直線移動を可能にするように構成されているが、ロッドカプラー２６０２の第２の部分２６２６に対して、第２の方向に寸法調整ロッド２６０８の直線移動を軽減するように構成されている。すなわち、例えば、螺合構成は、例示的なデバイス２６００の長さを増大させる方向に寸法調整ロッド２６０８の通常の直線移動を提供するが、例示的なデバイス２６００の長さを減少させる方向に寸法調整ロッド２６０８の直線移動を限定または制限する。
【０１２７】
この例示的な実施形態２６００では、寸法調整ロッドは、磁気駆動部品２６１０と固定的に嵌合されている。この実施形態において、磁気駆動部品２６１０は、駆動磁石２６１４と磁性環状部品２６１２とを含む。上述のように（図９〜１１および１７〜２５）、磁気駆動部品２６１０は、磁気駆動部品２６１０の内面（例えば、図９Ａ、９Ｃの９０２）上に配置されるような、磁性嵌合部品（例えば、図９Ａ、９Ｃの９０４）をさらに含む。上述したように、例えば、（例えば、所望の磁場にさらされたときの）駆動磁石２６１４の回転は、磁気駆動部品２６１０の内面に配置された磁性嵌合部品と嵌合する磁性環状部品２６１２をもたらす。この例では、磁石の回転は、上述したように、寸法調整ロッド２６０８の直線移動に変換される、磁気駆動部品２６１０の回転移動をもたらすことができる。
【０１２８】
１つの態様では、本明細書に記載されるデバイスおよびシステムの１つまたは複数の部分（例えば、図２１〜２６）は、例えば、患者に影響を与える状態の治療を提供するための努力において、骨に取り付けられる。一実施形態では、第１の部材（例えば、２１０６、２２０２、２３１０、２４０６、２５１０、２６０４）の先端（例えば、または別の部分）は、従来のまたは新しく開発された骨取り付け技術、デバイスおよびシステム（例えば、図２に示されるような椎弓根螺子、クランプなど）を使用して、第１の骨（例えば、脊柱、胸郭または他の目的の骨の一部）に取り付けられる。また、第２の部材（例えば、２１１０、２２１０、２３４０、２４１０、２５１２、２５０６）の先端（例えば、または別の部分）は、同様の従来のまたは新しく開発された骨取り付け技術、デバイスおよびシステムを使用して、第２の骨に取り付けられる。さらに、一実施態様では、部材ホルダー（例えば、２１０４、２２０４、２３０２、２４０２、２５４０、２６０２）の少なくとも一部は、同様の従来のまたは新しく開発された骨取り付け技術、デバイスおよびシステムを使用して、第２の骨（例えば、または第３の骨）に取り付けられる。
【０１２９】
例示的な一例として、図２７は、本明細書に記載のシステムおよびデバイスの１つまたは複数の部分の例示的な実施形態２７００を示す構成図である。この実施形態２７００では、第１の部材２７０４（例えば、ロッド、プレート、骨係合部品など）は、部材カプラ２７０２（例えば、図２１の２１０８のような磁気系駆動部を含む）と動作可能に結合２７０６される（例えば、図２１の２１０８）。また、この実施態様では、第１の部材２７０４は、第１の骨２７１２（例えば、または骨部分）と固定的に（例えば、選択的に）係合２７１４される。一例として、上述のように（例えば、図１、２、１４および２１）、第１の部材は、固定システム（例えば、椎弓根螺子、骨ネジ、クランプ、および／または別の整形外科用取り付けデバイスを使用する）によって、第１の骨２７１２に固定されている。
【０１３０】
一実施形態では、第２の部材２７０８（例えば、ロッド、プレート、骨係合部品など）は、部材カプラ２７０２と動作可能に結合されている２７１０（例えば、図２１の２１１２）。また、この実施形態において、第２の部材２７０８は、上述したような、同様の従来または新たに開発された骨取り付け技術、デバイスおよびシステムを使用して、第２の骨２７１６（例えば、または骨部分）と係合２７１８される。さらに、１つの実施形態では、部材カプラ２７０２の少なくとも一部は、同様の従来または新たに開発された骨取り付け技術、デバイスおよびシステムを使用して、第２の骨と係合される２７２０（例えば、または第３の骨２７２２または骨部分と係合される）。
【０１３１】
一態様では、所望の磁場は、磁場発生部品（例えば、図１５の１５０２）によって生成される。一例として、磁場発生部品は、所望の磁場を生成する。この磁場発生部品は、駆動磁石（例えば、６０２、１７１８、２２３０、２３０８、２４１２、２５１４、２６１４）に近接して配置されると、（例えば、少なくとも所望の磁場の構成に基づいて）所望の回転方向に駆動磁石の回転をもたらすことができる。図２８〜３０は、所望の磁場を生成するために使用されるデバイスの例示的な実施形態２８００、２９００、３０００を示す構成図である。
【０１３２】
図２８において、例示的なデバイス２８００は、デバイス２８００の部品を適切に収容するように構成されたハウジング２８０６を備える。また、この例のデバイスは、ディスプレイ２８０２（例えば、液晶ディスプレイ（ＬＣＤ）モニターなど）を含む。このディスプレイ上に、例えば、操作パラメータ、操作フィードバックおよび／または操作上の警告を表示することができる。このようにして、例えば、デバイス２８００のオペレータは、必要に応じ、視覚的な情報が提供される。さらに、この例のデバイス２８００は、オペレータがデバイス２８００を操作するために使用されるオペレータ係合部品２８０４（例えば、ハンドルまたはグリップ）を含む。
【０１３３】
一実施形態では、オペレータ係合部品２８０４は、第１の内部区画部２８１４（例えば、外部からのハッチによりアクセスされる）で構成されている。その第１の内部区画部２８１４は、（例えば、コンセントのような外部電源に接続することなく）例えば、ポータブルな状態でデバイスを使用するために、電源（例えば、バッテリ）を収容するように使用される。別の実施形態では、例示的なデバイス２８００は、電源を収容するように構成された第２の内部区画部２８１２（例えば、外部からのハッチによってアクセスされる）を含む。別の実施形態では、第２の内部区画部２８１２は、外部メモリ（例えば、メモリカード）、外部入力（例えば、ユニバーサルシリアルバス接続などの外部デバイスへの接続）などの外部部品を受け取るように構成される。
【０１３４】
例示的なデバイス２８００は、デバイス２８００に対する入力を提供するように構成された１つまたは複数の入力２８１８（例えば、電源スイッチ／ボタン、手動安全スイッチ／ボタンおよび／またはデータ入力部品など）を含む。一例として、例示的なデバイス２８００は、デバイスの電源をオン／オフするために使用されるパワースイッチと、デバイスを動作させるために作動させることができる手動安全スイッチと、デバイスの動作のための適切なデータを入力するために使用される１つまたは複数のデータ入力部品（例えば、ボタンまたはキー）とを含む。さらに、例示的なデバイス２８００は、１つまたは複数の警告インジケータ２８２０（光子放出体（例えば、発光ダイオード）など）を含む。警告インジケータ２８２０は、それぞれのインジケータ（例えば、障害、動作条件など）に関連する特定の警告を提供するために使用される。一例として、黄色の光は、デバイスが設定された加力（set force application）および／または設定された伸延／収縮距離の閾値に近づいていることをオペレータに示す。別の例として、赤色の光は、デバイが設定された加力および／または設定された伸延／収縮距離の閾値に達したことをオペレータに示す。さらに、一例として、緑色のライトは、デバイスが正常動作の準備ができていることをオペレータに示す。
【０１３５】
例示的なデバイス２８００は、オペレータによって起動されるように構成された手動スイッチを含む磁場アクチベータ２８１０（例えば、トリガー）を含む。一実施形態では、磁場アクチベータ２８１０は、オペレータがアクチベータに圧力を付与するときに単に動作するように構成された一種のデッドマンスイッチ（dead-man’s switch）を含む。一実施態様では、例示的デバイス２８００の動作は、磁場アクチベータ２８１０および手動安全スイッチ／ボタン２８１８の実質的な同時作動を必要とする。
【０１３６】
例示的なデバイス２８００は、磁場発生部品２８０８も含む。磁場発生部品２８０８は、（例えば、調整可能なロッドシステム（例えば、図３〜１５および図１８〜２７）に使用されるデバイスの内部に配置された）ターゲット駆動磁石に近接して配置される位置で、デバイスハウジング２８０６内に配置される。そのターゲット駆動磁石は、患者に埋め込まれている。一例として、骨格疾患を治療するために使用される伸延骨形成デバイスは、患者の真皮層の下の患者の１つまたは複数の骨に取り付けられる。この例では、磁場発生部品２８０８を含む例示的なデバイス２８００の部分は、患者の外皮層に近接して（例えば、隣接して、対して、所望の距離内に）配置され、（例えば、患者の骨に固定された部材の伸延および／または収縮のために）伸延性骨形成デバイスに配置された磁気駆動部品を動かすために動作される。
【０１３７】
一つの実施形態において、例示的なデバイス２８００は、データ出力部品２８１６を含む。この実施形態では、例えば、データ出力部品２８１６は、（例えば、患者ファイルに付けるための）ラベルを印刷するように構成されたプリンタを含む。このラベルは、患者名、タイムスタンプ、付与された力、伸延／収縮の距離など（これらに限定されない）を含む治療パラメータおよび／またはイベントデータを示す。別の実施態様では、データ出力部品２８１６は、イベントデータの出力を提供するように構成された別のデータ出力装置を含む。
【０１３８】
図２９Ａおよび図２９Ｂは、所望の磁場を生成するために使用されるデバイス２９００の別の例示的な実施形態を示す構成図である。この例では、デバイス２９００は、デバイス２９００の部品を収容し、オペレータによって保持されるように構成されたハウジング２９０２と、ディスプレイ２９０４と、１つまたは複数の入力部品２９０６、２９０８、２９１０とを含む。それらは、上述したそれらと同様である。また、例示的なデバイス２９００は、電源（例えば、および／または電源接続）を収容するために使用される１つまたは複数の内部区画２９１２、および／または、データ接続およびメモリ接続（上述したそれらと同様）を含む。それらは、データ入力、記憶および／またはデータ出力に使用される。
【０１３９】
また、例示的なデバイス２９００は、磁場発生部品２９１４を含む。上述したように、一実施形態では、磁場発生部品２９１４は、患者に埋め込まれているターゲット駆動磁石に近接して配置される位置で、デバイスハウジング２９０２内に配置される。
【０１４０】
図３０は、所望の磁場を生成するために使用されるデバイス３０００のさらに別の例示的な実施形態を示す構成図である。この例示的な実施形態では、デバイス３０００は、デバイス２９００の部品を収容するように構成されたハウジング３００２と、ディスプレイ３００４と、１つまたは複数の入力部品３００８とを含む。それらは、上述したものと同様である。また、例示的なデバイス３０００は、オペレータがデバイス３０００を操作するために使用される１つまたは複数のオペレータ係合部品３００６（例えば、ハンドル）を含む。
【０１４１】
さらに、例示的なデバイス３０００は、電源を収容するために使用される１つまたは複数の内部区画３０１２、および／または、データ接続およびメモリ接続（上述のものと同様）を含む。それらは、データ入力、記憶および／またはデータ出力のために使用される。例示的なデバイス３０００はまた、磁場発生部品３０１０を含む。この磁場発生部品３０１０は、患者に埋め込まれているターゲット駆動磁石に近接して配置される位置で、デバイスハウジング３００２内に配置される。
【０１４２】
一態様では、磁場発生部品（例えば、図１５の１５０２、図２９の２８００、図２９の２９００および図３０の３０００）は、（例えば、ターゲット磁石ベースの伸延／収縮デバイスの所望の治療結果を達成するために）適切な磁場生成のための関連パラメータを（例えば、自動的に、プログラム的におよび／または手動で）制御するように構成されている。一実施態様では、移動力（translation force）、移動変位（translation displacement）および／または移動割合（translation rate）は、他のパラメータの中で、磁場発生部品によって制御される。交互に見て、磁場の生成は、移動力、移動変位および／または移動割合の計算値、測定値または観測値に応じて、基づいて、またはしたがって、磁場発生部品によって制御される。その結果、移動力、移動変位および／または移動割合は、意図された治療結果を達成するために、所望の範囲内に維持される。
【０１４３】
一実施態様では、移動力は、ターゲット状態（例えば、伸延骨形成を利用する、整形外科的臨床状態および／または頭蓋顔面の臨床状態）の適切な処置を提供するために付与される力を含む。一例として、移動力の第１のターゲット範囲は、若年患者の早期発症脊柱側弯症を治療する場合に望ましい（例えば、脊柱を伸長させるのに十分な力）。そして、移動力の第２のターゲット範囲は、幼児患者の頭蓋骨癒合症を治療する場合に望ましい（例えば、頭蓋骨の成長パターンに適応するのに十分な力）。さらに、ターゲット治療のために利用される移動力の範囲は、治療結果から生じる必要な調整力を含む。すなわち、例えば、背骨の伸長を促進するのに必要な移動力は、利用される伸延成長ロッドデバイスの背骨の伸長に続く伸長の後に増大する。
【０１４４】
１つの実施形態では、移動力は、磁気駆動部品内に配置された駆動磁石の回転速度から導かれる（例えば、磁気駆動ねじのための）スクリュートルクの関数であることができる。また、駆動磁石の回転速度は、（例えば、磁場発生器によって生成される）所望の磁場の回転速度に直接関係する。一例として、所望の磁場の回転速度が増大すると、駆動磁石の回転速度が増大する。この例では、駆動磁石の回転速度が増大すると、スクリュートルクが増大し、ひいては移動力を増大させることができる（例えば、および逆もまた同様である）。一実施形態では、磁場発生部品は、例えば、処置手順中に予め設定された移動力を超えないように、（例えば、自動的に、プログラム的におよび／または手動で）移動力を制御するように構成されている。
【０１４５】
一例として、磁場発生部品は、所望の磁場の回転速度を実質的に、連続的に（例えば、または周期的に）モニターおよび／または測定する。この例では、上記のような移動力に機能的に関連する回転速度の測定値は、磁場発生部品によって使用されて、所望の移動力または適切な移動力を計算または決定する。別の実施形態では、いくつかの形態の力変換器は、（例えば、図２２Ａ〜２２Ｃの駆動機構２２０６と第１のロッド２２０２との間に介在される）移動力をモニターおよび／または測定するために使用される。この実施形態では、例えば、磁場発生部品の外部の測定デバイスからの移動力の測定値は、無線で、または接続ケーブルまたは他のリンクを介して、磁場発生部品に送信されてもよく、および／または磁場発生部品に手動で入力されるか、さもなければ磁場発生部品に入力される。
【０１４６】
例示的な例として、移動力は、操作者が力レベルをゆっくりと増大させることによって制御される。この例では、それぞれのレベルの後に、治療領域の伸延を測定し、関連する制御システムに入力することができる。例えば、典型的な力レベルは、１〜１０の範囲を含む。１は、伸延に最小限の効果を有すると予想される低レベルの力を含む。１０は、その段階での拡張に必要とされると予想される最高レベルの力を含む。この例では、力レベルは、患者が調節された回数に基づいて変化することができる。また、一例として、１と５との間のレベルは、出力（例えば、スクリーン、ＬＥＤ）上の「安全」な範囲（例えば、緑のインジケータ）内として示される。この例では、６と１０との間のレベルは、「警告」範囲（例えば、黄色のインジケータ）に配置される。そして、１０を超えるレベルは、「危険」な範囲（例えば、赤色のインジケータ）として示される。一実施形態では、１０を超えるレベルは、例えば、典型的な最大値を超える部分に制限され、それらが潜在的に危険な移動力レベルを認識していることを保証にするために、オペレータによる追加の入力を要求することができる。
【０１４７】
一実施形態では、移動変位は、デバイスの第１の部材（例えば、３０４ａ、１７０２、２１０６、２２０２、２３１０、２４０６、２５１０、２６０４）がデバイスの第２の部材（例えば、３０４ｂ、２１１０、２２１０、２３４０、２４１０、２５１２、２５０６）またはデバイスの部材ホルダー（例えば、３０８、１７０４、２１０４、２２０４、２３０２、２４０２、２５４０、２６０２）のうちの一方から移動される距離を含む。すなわち、例えば、移動変位は、第１の骨から第２の骨までの治療デバイスの２つの取り付け位置の間の距離を含む（例えば、伸延または後退距離を含む）。
【０１４８】
一実施態様では、典型的な移動距離の範囲は、（例えば、３ヶ月の調整間隔で）早期発症脊柱側弯症治療用に２〜１０ミリメートルを含む。一実施態様では、移動変位は、移動力の関数である。すなわち、例えば、移動力が増大するにつれて、移動変位が増大する（例えば、およびその逆も同様）。したがって、例えば、より大きなレベルの力は、より大きな移動（例えば、伸延／収縮）につながる。一実施形態では、移動距離は、いくつかの形態の変位変換器を使用して、および／または蛍光透視法を使用して（例えば、Ｘ線装置を使用するなどのように、ロッド上のロッドまたはマーカー間の距離を測定して）、モニターおよび／または測定される。
【０１４９】
一実施形態では、磁場発生部品は、例えば、治療手順中、予め設定された移動変位を超えないように、（例えば、自動的に、プログラム的におよび／または手動で）移動変位を制御するように構成されている。例示的な例として、移動変位は、伸長力を（例えば、ゆっくりと）増大させ、結果として生じる変位を間欠的に（例えば、または連続的に）モニターおよび／または測定することによって制御される。この例では、各レベルの力に対する変位を制御システムに入力することができる（例えば、デバイスパラメータを制御するプログラム）。この例では、制御システムは、少なくとも変位測定値が入力されるまで、一定の（例えば、高い）レベルの力を制限する。
【０１５０】
一実施形態では、移動距離または変位測定値は、磁場発生部品の外部の測定デバイス（例えば、蛍光透視法および／またはいくつかの形態の変位変換器を使用するデバイスなど）によって提供される。この実施形態では、得られたデータは、無線で、または接続ケーブルまたは他のリンクを介して、磁場発生部品に送信される。または、そのデータは、磁場発生部品に手動で入力されるか、そうでなければ入力される。さらに、例えば、制御システムによって検出された力および変位（例えば、所望の閾値またはパラメータ外にある）の表示は、警報をトリガし、デバイスの使用を妨げる。一例として、３ミリメートル未満の変位読み取り値は、「安全」な表示をもたらす。３ミリメートルより大きく１０ミリメートル未満の変位読み取り値は、「警告」の表示をもたらす。そして、１０ミリメートルを超える値は、「危険」の表示につながる。
【０１５１】
一実施形態では、移動割合は、ターゲット治療領域（例えば、骨格構造）が移動される（例えば、伸延または収縮する）割合（例えば、または速度）を含む。移動割合は、例えば、移動力および移動に対する抵抗力の関数である。それは、ターゲット患者の組織構造に起因している。一例として、より高い割合は、移動力および／または移動変位の制御において精度がより低くなるので、高い割合の移動（例えば、所望より高い）は、治療処置中望ましくない。また、例えば、より速い移動の割合（速度）は、組織クリープ（例えば、デバイスと実質的に同じ割合で移動する患者の組織構造）を考慮しない。
【０１５２】
例示的な例として、オペレータがそれぞれの処置レベルで小さな調整を行うことができることによって、移動割合を制御することができる。また、この例では、処置間隔が使用される。これは、処置のための関連する組織クリープ（tissue creep）に対応する時間を含む。一例として、治療間隔は、デバイスの制御システムによってプログラム的に制御されてもよく、治療中に制御される他のパラメータに組み込まれてもよい。
【０１５３】
例示的な例として、所望の磁場を生成するための例示的なデバイスのオペレータは、（例えば、デバイス上のデータ入力部品を使用して、または入力部品（例えば、キーボードなど）を有する第２のコンピュータデバイスからの入力接続によって）手動で制御システムに情報を入力する。入力データは、患者識別子、治療手順識別子、患者年齢、身長および他の患者に関連する健康情報を含む。また、オペレータは、磁場発生デバイスを処置部位の近くに（例えば、駆動磁石に近接して）配置することができる。システムは、最初に第１のレベルで起動される。この例では、移動力、スクリュートルク、駆動磁石の回転速度、または所望の磁場の回転速度に基づいて、移動、変位（例えば、距離）を計算する。例えば、移動力は、所望の磁場を生成するデバイスの外部の測定デバイス（例えば、力変換器など）によって測定され、無線で、または接続ケーブルまたは他のリンクを介して、磁場発生デバイスに送信され、または、磁場発生デバイスに手動で入力されるか、そうでなければ磁場発生デバイスに入力される。あるいは、一実施形態では、移動変位は、例えば、測定デバイス（磁場発生デバイスの外部のいくつかの形態の変位変換器および／または蛍光透視法を実施するデバイスを使用する）によって直接に測定される。この例では、得られたデータは、無線で、または接続ケーブルまたは他のリンクを介して、磁場発生デバイスに送信される。または、データは、磁場発生デバイスに手動で入力され、そうでなければ、磁場発生デバイスに入力される。
【０１５４】
さらに、一例として、移動変位または移動距離（例えば、および／または移動力）は、確認され（review）および／または記録されることができる。オペレータが追加の変位を望む場合、オペレータは第２のレベルに進み、この手順を繰り返すことができる。治療は、所望の延伸の完了時、または、予め設定された安全限界に達した場合に終了する。治療の結果、および治療中に生成されたデータ（例えば、使用された力、延伸距離など）は、患者の医療記録（例えば、電子的に、メモリーまたは紙など）に示される。
【０１５５】
図３１Ａおよび図３１Ｂは、本明細書に記載される１つまたは複数のシステムの１つまたは複数の部分によって使用される磁場発生部品の例示的な実施形態３１００、３１５０を示す構成図である。例示的な実施形態３１００において、電磁石３１０２は、電源３１１０によって電力が供給される場合、Ｎ極３１０４およびＳ極３１０６を備える。また、この実施形態では、電磁石３１０２は、フィールド回転部品３１０８上に配置される。その回転速度（rate）は、システムコントローラ３１１２によって制御される。また、一実施形態では、コントローラは、電源３１１０によって電磁石３１０２に供給される電力のレベルを（例えば、プログラム入力または手動入力に基づいて）制御するように構成されている。この場合、例えば、コントローラは、より多くの磁力のために電力を増大させ、より少ない磁力のために電力を減少させることによって、電磁石３１０２によって生成される磁力の量を制御することができる。
【０１５６】
一実施形態では、コントローラ３１１２は、フィールド回転部品３１０８の回転方向およびフィールド回転部品３１０８の回転速度を制御する。この実施形態において、コントローラ３１１２は、磁場発生デバイス（例えば、図１５の１５０２、図２９の２８００、図２９の２９００、図３０の３０００）のために所望の磁場を発生するように構成されている。この実施形態では、回転方向、回転速度および磁力の量は、コントローラ３１１２によって制御される。また、回転方向は、ターゲット駆動磁石の回転方向に影響を及ぼす。例えば、フィールド回転部品３１０８の第１の回転方向（例えば、時計回り）は、ターゲット駆動磁石の第１の回転方向をもたらし、フィールド回転部品３１０８の第２の回転方向（例えば、反時計回り）は、ターゲット駆動磁石の第２の回転方向をもたらす。さらに、上述のように、回転速度および磁力の量は、ターゲット磁気駆動部品によって付与される移動力の量に影響を及ぼす。
【０１５７】
例示的な実施形態３１５０では、磁場発生部品は、第１の電磁石３１５２と、第２の電磁石３１５４とを含む。この実施形態３１５０では、第１の電磁石３１５２は、ターゲット領域に向かって配置されたＳ極３１５６と、同様のＮ極３１５８とを含む。また、第２の電磁石３１５４は、ターゲット領域に向けて配置されたＮ極３１６２と、同様のＳ極３１６０を含む。それぞれの電磁石３１５２、３１５４は、電源３１６４によって電力供給される。また、電磁石３１５２、３１５４に供給される電力は、コントローラ３１６６によって、（例えば、プログラム的に）制御される。例えば、コントローラ３１６６は、第１の電磁石３１５２への電力を制限し、第２の電磁石３１５４に適切な電力を供給する。それによって、ターゲット領域にＮ極場を生成している。この例では、コントローラ３１６６は、第２の電磁石３１５４への電力を制限し、第１の電磁石３１５２に適切な電力を供給する。それによって、ターゲット領域にＳ極場を生成している。このようにして、例えば、ターゲット領域に、交互の（例えば、パルス状の）Ｎ極およびＳ極磁場を発生させることができる。この例では、交互のＮ極およびＳ極磁場は、ターゲット駆動磁石を回転するために使用される所望の回転磁場をもたらす。
【０１５８】
別の態様では、本明細書に記載のデバイスおよびシステムの１つまたは複数の部分は、例えば、骨格および／または筋骨格障害を治療するために使用される。そこで、デバイスの伸延および／または後退が実施される。一実施態様では、上述したように、本明細書に記載のデバイスおよびシステムの１つまたは複数の部分は、例えば、患者の脊柱側弯症を治療するために使用される。そこで、デバイスは、脊柱側弯症治療中に脊柱伸延を提供するために使用される。別の実施形態では、本明細書に記載されるデバイスおよびシステムの１つまたは複数の部分は、例えば、骨成長障害、傷害、外傷、疾患、他の障害を治療するため伸延骨形成（仮骨延長術）において使用される。そこで、伸延（例えば、収縮）が治療に組み込まれる。例えば、本明細書に記載されるデバイスおよびシステムの１つまたは複数の部分は、小人症、非対称四肢、内反射、外傷後の欠陥および／または手の手術を治療するために、整形外科臨床用途で使用される。別の例として、本明細書に記載されたデバイスおよびシステムの１つまたは複数の部分は、頭蓋骨癒合症、口蓋裂、レッサー−コリンズ症候群、片側顔面委縮症、ピエールロビン症候群、ラーセン症候群、フリーマン−シェルドン症候群、頭蓋骨欠損、顔面骨欠損、閉塞性睡眠時無呼吸および／または無鼻症を治療するために、頭蓋臨床分野において使用される。
【０１５９】
この態様では、一実施態様では、本明細書に記載の例示的なシステムおよびデバイスの部品は、例えば、脊柱側弯症の治療のためのロッドおよびロッドホルダーとして構成される。また、その部品は、他の病気、傷害、外傷、または疾患の治療のための他の構造、または、プレートおよびプレートホルダーとして構成されてもよい。例えば、２つの骨プレートを、位置決めし、上述したような１つまたは複数の磁石ベースのねじ（例えば、図３の３０２および図１７〜２０の１７０６）によって（例えば、部分的に重なる関係で）結合することができる。別の例として、部材ホルダーと嵌合する１つまたは複数の部材は、特定の治療において使用されるように構成されている。その結果、部材は、効果的な治療を行うために、骨に効果的に係合する（例えば、骨と適切に係合するような形状およびサイズにされる）。
【０１６０】
用語「例（exemplary）」は、本明細書で、実施例、例または図示のための意味で使用される。ここで「例（exemplary）」として記載されるいずれの目的または設計は、他の目的または設計より優れる利益として解釈される必要はない。むしろ、用語「例（exemplary）」の使用は、具体的な方法で本発明の概念を意図している。この出願で使用されるように、用語「または」は、「または」を除外するよりもむしろ「または」を含む意味を意図している。すなわち、特別の定めがない限り、または、内容から明らかでない限り、「ＸがＡまたはＢを使用する」とは、通常の両立的な順列のいずれかを意味することを意図している。すなわち、ＸがＡを使用し、ＸがＢを使用し、またはＸがＡとＢとの両方を使用すると、「ＸがＡまたはＢを使用する」とは、前記例のいずれかを満足する。また、ＡとＢの少なくとも一方等は、一般的に、Ａ、Ｂ、またはＡとＢとの両方を意味する。加えて、本願と添付の特許請求の範囲で使用される冠詞「ａ」と「ａｎ」は、特別の定めがない限り、または、単数形で規定される内容から明らかでない限り、一般的に、「１または２以上」の意味に解釈される。
【０１６１】
本発明を構造的特徴および／または方法論的行為に特有の言葉で説明したが、添付の特許請求の範囲に記載される発明は、上述された特別な特徴または行為に必ずしも限定されないと理解されるべきである。むしろ、上述された特別な特徴および行為は、特許請求の範囲の発明を実施する実施例として記載されている。もちろん、当業者は、特許請求の範囲に係る発明の範囲または意図から離れることなく、多くの変形例がこの構成に対して作られると認識する。
【０１６２】
また、本発明は、１または２以上の実施例に対して示され、説明されたが、対応する変更例および変形例が本明細書と添付図面を見て理解する当業者に理解される。本発明は、そのようなすべての変更例および変形例を含み、以下の特許請求の範囲によってのみ限定される。上述された部品（例えば、エレメント、リソースなど）によって実行される種々の機能に関し、ここに記載された本発明の典型例の機能を実行する、開示された構造に構造的に対応していないとしても、そのような部品を説明するために使用される用語は、特別な意図がない限り、説明された部品（例えば、機能的に相当する物）の特別な機能を実行するいずれの部品にも対応する意図である。
【０１６３】
加えて、本発明の特別な特徴がいくつかの実施例の一つのみに対して説明されたが、そのような特徴は、それが望まれ、与えられた用途または特定の用途のために有利であるので、他の実施例の１または２以上の他の特徴と組み合わされてもよい。さらに、用語「含む（includes）」、「有する（having）」、「有する（has）」、「有する（with）」またはそれらの変化例が詳細な説明または特許請求の範囲のいずれかに使用される範囲で、そのような用語は、用語「含む（comprising）」に類似する態様を含む意図である。
【０１６４】
実施例が上述された。上記方法および装置は本発明の一般的な範囲から逸脱しない範囲内で変更および修正を加えてもよいということは、当業者に自明である。そのような変更や修正が添付の特許請求の範囲またはその相当物内である限りにおいて、それらの全て変更や修正含むように意図されている。
【図１】
2017517350.tif 000003
【図２】
2017517350.tif 000004
【図３】
2017517350.tif 000005
【図４】
2017517350.tif 000006
【図５】
2017517350.tif 000007
【図６】
2017517350.tif 000008
【図７】
2017517350.tif 000009
【図８Ａ】
2017517350.tif 000010
【図８Ｂ】
2017517350.tif 000011
【図８Ｃ】
2017517350.tif 000012
【図８Ｄ】
2017517350.tif 000013
【図９Ａ】
2017517350.tif 000014
【図９Ｂ】
2017517350.tif 000015
【図９Ｃ】
2017517350.tif 000016
【図９Ｄ】
2017517350.tif 000017
【図１０Ａ】
2017517350.tif 000018
【図１０Ｂ】
2017517350.tif 000019
【図１０Ｃ】
2017517350.tif 000020
【図１０Ｄ】
2017517350.tif 000021
【図１１Ａ−１１Ｂ】
2017517350.tif 000022
【図１２Ａ】
2017517350.tif 000023
【図１２Ｂ】
2017517350.tif 000024
【図１２Ｃ】
2017517350.tif 000025
【図１３Ａ】
2017517350.tif 000026
【図１３Ｂ】
2017517350.tif 000027
【図１３Ｃ】
2017517350.tif 000028
【図１４】
2017517350.tif 000029
【図１５】
2017517350.tif 000030
【図１６Ａ】
2017517350.tif 000031
【図１６Ｂ】
2017517350.tif 000032
【図１６Ｃ】
2017517350.tif 000033
【図１７】
2017517350.tif 000034
【図１８】
2017517350.tif 000035
【図１９】
2017517350.tif 000036
【図２０】
2017517350.tif 000037
【図２１】
2017517350.tif 000038
【図２２Ａ】
2017517350.tif 000039
【図２２Ｂ】
2017517350.tif 000040
【図２２Ｃ】
2017517350.tif 000041
【図２３】
2017517350.tif 000042
【図２４Ａ】
2017517350.tif 000043
【図２４Ｂ】
2017517350.tif 000044
【図２５Ａ】
2017517350.tif 000045
【図２５Ｂ】
2017517350.tif 000046
【図２６】
2017517350.tif 000047
【図２７】
2017517350.tif 000048
【図２８】
2017517350.tif 000049
【図２９Ａ】
2017517350.tif 000050
【図２９Ｂ】
2017517350.tif 000051
【図３０】
2017517350.tif 000052
【図３１Ａ】
2017517350.tif 000053
【図３１Ｂ】
2017517350.tif 000054
【国際調査報告】
2017517350.tif 000055
2017517350.tif 000056